(57)【特許請求の範囲】
【請求項１】
基体と、
前記基体の一方の主面に形成された第１導電部と、
前記基体の他方の主面に形成された第２導電部とを有し、
前記第１導電部は、２以上の第１感知部が第１方向に第１接続部を介して直列に電気的に接続されて構成された２以上の第１導電パターンが前記第１方向と直交する第２方向に配列されて構成され、
前記第２導電部は、２以上の第２感知部が前記第２方向に第２接続部を介して直列に電気的に接続されて構成された２以上の第２導電パターンが前記第１方向に配列されて構成され、
各前記第１感知部及び各前記第２感知部は、それぞれ２以上の小格子が組み合わされて構成され、
上面から見たとき、前記第１導電パターンに隣接して前記第２導電パターンが配置され、且つ、前記第１接続部と前記第２接続部とが前記基体を間に挟んで対向する形態とされ、
前記第１接続部は、前記第１感知部間を３つ以上の接続経路で電気的に接続する構成を有すると共に隣接する２つの前記第１感知部間に所定の接続方向に配置された四角形部を有し、
前記第２接続部は、前記第２感知部間を３つ以上の接続経路で電気的に接続する構成を有すると共に隣接する２つの前記第２感知部間に所定の接続方向に配置された四角形部を有し、
前記第１接続部を構成する前記四角形部と前記第２接続部を構成する前記四角形部の各々は、互いに対向する金属細線間の距離がＬａの第１四角形部と、互いに対向する金属細線間の距離がＬｂの第２四角形部とを有し、
Ｌａ＞Ｌｂ
であることを特徴とする導電シート。
【請求項２】
請求項１記載の導電シートにおいて、
前記第１接続部は、一方の前記第１感知部に含まれる１以上の小格子の頂点と他方の前記第１感知部に含まれる１以上の小格子の頂点との間を結ぶ３つ以上の導線にて構成され、
前記第２接続部は、一方の前記第２感知部に含まれる１以上の小格子の頂点と他方の前記第２感知部に含まれる１以上の小格子の頂点との間を結ぶ３つ以上の導線にて構成されていることを特徴とする導電シート。
【請求項３】
請求項１記載の導電シートにおいて、
前記第１接続部は、
一方の前記第１感知部に含まれる１以上の小格子の頂点と他方の前記第１感知部に含まれる１以上の小格子の頂点との間を結ぶ第１導線部及び第２導線部と、一方の前記第１感知部に含まれる他の小格子の頂点と第１導線部とを結ぶ第３導線部と、他方の前記第１感知部に含まれる他の小格子の頂点と第２導線部とを結ぶ第４導線部とを有し、
前記第２接続部は、
一方の前記第２感知部に含まれる１以上の小格子の頂点と他方の前記第２感知部に含まれる１以上の小格子の頂点との間を結ぶ第５導線部及び第６導線部と、一方の前記第２感知部に含まれる他の小格子の頂点と第５導線部とを結ぶ第７導線部と、他方の前記第２感知部に含まれる他の小格子の頂点と第６導線部とを結ぶ第８導線部とを有することを特徴とする導電シート。
【請求項４】
請求項１記載の導電シートにおいて、
前記第１導電部は、さらに、前記第１感知部の辺の周囲に、複数の第１補助線からなる第１補助パターンが配列され、
前記第２導電部は、さらに、前記第２感知部の辺の周囲に、複数の第２補助線からなる第２補助パターンが配列され、
上面から見たとき、前記第１導電パターンと前記第２導電パターンとの間に、前記第１補助パターンと前記第２補助パターンとが対向することによる組合せパターンが形成されていることを特徴とする導電シート。
【請求項５】
請求項４記載の導電シートにおいて、
前記組合せパターンは、２以上の小格子が組み合わされて構成されていることを特徴とする導電シート。
【請求項６】
請求項１記載の導電シートにおいて、
前記第１感知部及び前記第２感知部は、略同一の大きさで構成されているか、異なる大きさで構成されていることを特徴とする導電シート。
【請求項７】
請求項１記載の導電シートにおいて、
前記第１感知部が略正方形状の大格子として構成されており、
前記第２感知部が略長方形状の大格子として構成されていることを特徴とする導電シート。
【請求項８】
基体と、
前記基体の主面に形成された導電部とを有し、
前記導電部は、金属細線による２以上の感知部が第１方向に金属細線による接続部を介して直列に電気的に接続されて構成された２以上の導電パターンが前記第１方向と直交する第２方向に配列されて構成され、
各前記感知部は、２以上の小格子が組み合わされて構成され、
前記接続部は、前記感知部間を３つ以上の接続経路で電気的に接続する構成を有すると共に隣接する２つの前記感知部間に所定の接続方向に配置された四角形部を有し、
前記四角形部は、互いに対向する金属細線間の距離がＬａの第１四角形部と、互いに対向する金属細線間の距離がＬｂの第２四角形部とを有し、
Ｌａ＞Ｌｂ
であることを特徴とする導電シート。
【請求項９】
請求項８記載の導電シートにおいて、
一方の前記感知部と前記接続部との接点から該接続部内への金属細線の数をＮａ、前記接続部内の複数の交点間の金属細線の数をＮｂ、他方の前記感知部と前記接続部との接点から該接続部内への金属細線の数をＮｃ、隣接する前記感知部間の接続経路の数をＮとしたとき、
Ｎ＝Ｎａ×（Ｎｂ＋Ｎｃ−１）
であることを特徴とする導電シート。
【請求項１０】
請求項８又は９に記載の導電シートにおいて、
前記長さＬｂが前記小格子の一辺の長さと同じであることを特徴とする導電シート。
【請求項１１】
請求項８〜１０のいずれか１項に記載の導電シートにおいて、
１．２×Ｌｂ≦Ｌａ≦３．０×Ｌｂ
であることを特徴とする導電シート。
【請求項１２】
請求項８〜１０のいずれか１項に記載の導電シートにおいて、
Ｌａ＝２×Ｌｂ
であることを特徴とする導電シート。
【請求項１３】
請求項８〜１０のいずれか１項に記載の導電シートにおいて、
前記第２四角形部の両側に前記第１四角形部が配置されていることを特徴とする導電シート。
【請求項１４】
請求項８記載の導電シートにおいて、
前記接続部のうち、前記小格子の一辺の長さの３倍以上の長さを有する辺から直交して延びる金属細線による張り出し部を有することを特徴とする導電シート。
【請求項１５】
請求項１４記載の導電シートにおいて、
前記張り出し部は、前記接続部内に向かって張り出していることを特徴とする導電シート。
【請求項１６】
請求項１４記載の導電シートにおいて、
前記張り出し部は、前記接続部から外に向かって張り出していることを特徴とする導電シート。
【請求項１７】
基体と、
前記基体の一方の主面に形成された第１導電部と、
前記基体の他方の主面に形成された第２導電部とを有し、
前記第１導電部は、２以上の第１感知部が第１接続部を介して接続された２以上の第１導電パターンから構成され、
前記第２導電部は、２以上の第２感知部が第２接続部を介して接続された２以上の第２導電パターンから構成され、
前記第１導電パターンと前記第２導電パターンは前記接続部上で略直交するように配置されており、
前記第１導電パターンと前記第２導電パターンは線幅１５μｍ以下の細線パターンから構成され、
前記第１接続部は、前記第１感知部間を３つ以上の接続経路で電気的に接続する構成を有すると共に隣接する２つの前記第１感知部間に所定の接続方向に配置された四角形部を有し、
前記第２接続部は、前記第２感知部間を３つ以上の接続経路で電気的に接続する構成を有すると共に隣接する２つの前記第２感知部間に所定の接続方向に配置された四角形部を有し、
前記第１接続部を構成する前記四角形部と前記第２接続部を構成する前記四角形部の各々は、互いに対向する金属細線間の距離がＬａの第１四角形部と、互いに対向する金属細線間の距離がＬｂの第２四角形部とを有し、
Ｌａ＞Ｌｂ
であることを特徴とする導電シート。
【請求項１８】
請求項１、８、１７のいずれか１項に記載の導電シートを有することを特徴とする静電容量方式タッチパネル。
【発明の詳細な説明】
【技術分野】
【０００１】
本発明は、導電シート及び静電容量方式タッチパネルに関し、例えば、投影型静電容量方式のタッチパネルに用いて好適な導電シート及び静電容量方式タッチパネルに関する。
【背景技術】
【０００２】
近時、タッチパネルが注目されている。このようなタッチパネルにおいて、マトリクス状に配列した電極が目立たないようにするために、電極をＩＴＯ（酸化インジウムスズ）にて構成する例が開示されている（例えば特許文献１及び２参照）。
タッチパネルは、ＰＤＡ（携帯情報端末）や携帯電話等の小サイズへの適用が主となっているが、パソコン用ディスプレイ等への適用による大サイズ化が進むと考えられる。
このような将来の動向において、従来の電極は、ＩＴＯ（酸化インジウムスズ）を用いていることから、抵抗が大きく（数百オーム／ｓｑ．程度）、適用サイズが大きくなるにつれて、電極間の電流の伝達速度が遅くなり、応答速度（指先を接触してからその位置を検出するまでの時間）が遅くなるという問題がある。
そこで、金属製の細線（金属細線）にて構成した格子を多数並べて電極を構成することで表面抵抗を低下させることが考えられる。金属細線を電極に用いたタッチパネルとしては、例えば、特許文献３〜９が知られている。
【０００３】
特許文献３、特許文献４、特許文献５の図１ａ、及び特許文献６に係る導電シートは、多数の金属細線を縦方向に並べて構成される第１導電パターンと、多数の金属細線を横方向に並べて構成される第２導電パターンと、これら第１導電パターン及び第２導電パターン間に設置された絶縁層とを有する。
また、特許文献７及び８に係る導電シートは、各金属細線にそれぞれ複数のＳ字状の変形部を形成したパターンを縦方向に配列して構成される第１導電パターンと、複数のＳ字状の変形部を形成したパターンを横方向に配列して構成される第２導電パターンとを有する。
特許文献９に係るタッチスイッチは、基板と、前記基板の一面に形成され、一定間隔で並べられた複数の第１電極と、前記基板の他面に形成され、一定間隔で並べられ、前記複数の第１電極とで格子状になる複数の第２電極と、を備え、ディスプレイの前面に取り付けられている。
また、この特許文献９の図７には、前記第１電極が、複数の小格子が組み合わされて形成された複数の感知部と、前記感知部間を導体線によって２つの接続経路で接続する接続部とで構成されている点が記載されている。
【先行技術文献】
【特許文献】
【０００４】
【特許文献１】特開２０１０−０８６６８４号公報
【特許文献２】特開平５−２２４８１８号公報
【特許文献３】国際公開第９７／０１８５０８号パンフレット
【特許文献４】特開２００３−０９９１８５号公報
【特許文献５】米国特許第５１１３０４１号明細書
【特許文献６】国際公開第９５／０２７３３４号パンフレット
【特許文献７】米国特許出願公開第２００４／０２３９６５０号明細書
【特許文献８】米国特許第７２０２８５９号明細書
【特許文献９】国際公開第２０１０／０１３６７９号パンフレット
【発明の概要】
【発明が解決しようとする課題】
【０００５】
しかし、これらの例では、ある金属細線に断線があると、断線した金属細線に関連するアドレスが認識できなくなるという問題がある。特許文献９のタッチスイッチは、第１電極において、感知部間が２つの接続経路でのみ接続されているので、前記２つの接続経路の両方が断線して、接続部が完全に断線する蓋然性が高い。
【０００６】
本発明はこのような課題を考慮してなされたものであり、感知部間を接続する接続部が完全に断線する蓋然性を従来よりも低くすることができ、しかも、基体上に形成される導電パターンの低抵抗化を図ることができると共に、視認性も向上させることができ、また、タッチ位置検出の感度の向上、検出精度の向上を図ることができる導電シート及び静電容量方式タッチパネルを提供することを目的とする。
【課題を解決するための手段】
【０００７】
［１］  第１の本発明に係る導電シートは、基体と、前記基体の一方の主面に形成された第１導電部と、前記基体の他方の主面に形成された第２導電部とを有し、前記第１導電部は、２以上の第１感知部が第１方向に第１接続部を介して直列に電気的に接続されて構成された２以上の第１導電パターンが前記第１方向と直交する第２方向に配列されて構成され、前記第２導電部は、２以上の第２感知部が前記第２方向に第２接続部を介して直列に電気的に接続されて構成された２以上の第２導電パターンが前記第１方向に配列されて構成され、各前記第１感知部及び各前記第２感知部は、それぞれ２以上の小格子が組み合わされて構成され、上面から見たとき、前記第１導電パターンに隣接して前記第２導電パターンが配置され、且つ、前記第１接続部と前記第２接続部とが前記基体を間に挟んで対向する形態とされ、前記第１接続部は、前記第１感知部間を３つ以上の接続経路で電気的に接続し、前記第２接続部は、前記第２感知部間を３つ以上の接続経路で電気的に接続する構成を有することを特徴とする。
［２］  第１の本発明において、前記第１接続部は、一方の前記第１感知部に含まれる１以上の小格子の頂点と他方の前記第１感知部に含まれる１以上の小格子の頂点との間を結ぶ３つ以上の導線にて構成され、前記第２接続部は、一方の前記第２感知部に含まれる１以上の小格子の頂点と他方の前記第２感知部に含まれる１以上の小格子の頂点との間を結ぶ３つ以上の導線にて構成されていることを特徴とする。
［３］  第１の本発明において、前記第１接続部は、一方の前記第１感知部に含まれる１以上の小格子の頂点と他方の前記第１感知部に含まれる１以上の小格子の頂点との間を結ぶ第１導線部及び第２導線部と、一方の前記第１感知部に含まれる他の小格子の頂点と第１導線部とを結ぶ第３導線部と、他方の前記第１感知部に含まれる他の小格子の頂点と第２導線部とを結ぶ第４導線部とを有し、前記第２接続部は、一方の前記第２感知部に含まれる１以上の小格子の頂点と他方の前記第２感知部に含まれる１以上の小格子の頂点との間を結ぶ第５導線部及び第６導線部と、一方の前記第２感知部に含まれる他の小格子の頂点と第５導線部とを結ぶ第７導線部と、他方の前記第２感知部に含まれる他の小格子の頂点と第６導線部とを結ぶ第８導線部とを有することを特徴とする。
［４］  第１の本発明において、前記第１導電部は、さらに、前記第１感知部の辺の周囲に、複数の第１補助線からなる第１補助パターンが配列され、前記第２導電部は、さらに、前記第２感知部の辺の周囲に、複数の第２補助線からなる第２補助パターンが配列され、上面から見たとき、前記第１導電パターンと前記第２導電パターンとの間に、前記第１補助パターンと前記第２補助パターンとが対向することによる組合せパターンが形成されていることを特徴とする。
［５］  第１の本発明において、前記組合せパターンは、２以上の小格子が組み合わされて構成されていることを特徴とする。
［６］  第１の本発明において、前記第１感知部及び前記第２感知部は、略同一の大きさで構成されているか、異なる大きさで構成されていることを特徴とする。
［７］  第１の本発明において、前記第１感知部が略正方形状の大格子として構成されており、前記第２感知部が略長方形状の大格子として構成されていることを特徴とする。
［８］  第２の本発明に係る導電シートは、基体と、前記基体の主面に形成された導電部とを有し、前記導電部は、金属細線による２以上の感知部が第１方向に金属細線による接続部を介して直列に電気的に接続されて構成された２以上の導電パターンが前記第１方向と直交する第２方向に配列されて構成され、各前記感知部は、２以上の小格子が組み合わされて構成され、前記接続部は、前記感知部間を３つ以上の接続経路で電気的に接続する構成を有することを特徴とする。
［９］  第２の本発明において、一方の前記感知部と前記接続部との接点から該接続部内への金属細線の数をＮａ、前記接続部内の複数の交点間の金属細線の数をＮｂ、他方の前記感知部と前記接続部との接点から該接続部内への金属細線の数をＮｃ、隣接する前記感知部間の接続経路の数をＮとしたとき、Ｎ＝Ｎａ×（Ｎｂ＋Ｎｃ−１）であることを特徴とする。
［１０］  第２の本発明において、前記接続部は、隣接する２つの前記感知部間に所定の接続方向に配置された四角形部を有し、前記四角形部は、互いに対向する金属細線間の距離がＬａの第１四角形部と、互いに対向する金属細線間の距離がＬｂの第２四角形部とを有し、Ｌａ＞Ｌｂであることを特徴とする。
［１１］  第２の本発明において、前記長さＬｂが前記小格子の一辺の長さと同じであることを特徴とする。
［１２］  第２の本発明において、１．２×Ｌｂ≦Ｌａ≦３．０×Ｌｂであることを特徴とする。
［１３］  第２の本発明において、Ｌａ＝２×Ｌｂであることを特徴とする。
［１４］  第２の本発明において、前記第２四角形部の両側に前記第１四角形部が配置されていることを特徴とする。
［１５］  第２の本発明において、前記接続部のうち、前記小格子の一辺の長さの３倍以上の長さを有する辺から直交して延びる金属細線による張り出し部を有することを特徴とする。
［１６］  第２の本発明において、前記張り出し部は、前記接続部内に向かって張り出していることを特徴とする。
［１７］  第２の本発明において、前記張り出し部は、前記接続部から外に向かって張り出していることを特徴とする。
［１８］  第３の本発明に係る導電シートは、基体と、前記基体の一方の主面に形成された第１導電部と、前記基体の他方の主面に形成された第２導電部とを有し、前記第１導電部は、２以上の第１感知部が第１接続部を介して接続された２以上の第１導電パターンから構成され、前記第２導電部は、２以上の第２感知部が第２接続部を介して接続された２以上の第２導電パターンから構成され、前記第１導電パターンと前記第２導電パターンは前記接続部上で略直交するように配置されており、前記第１導電パターンと前記第２導電パターンは線幅１５μｍ以下の細線パターンから構成され、前記第１接続部は、前記第１感知部間を３つ以上の接続経路で電気的に接続し、前記第２接続部は、前記第２感知部間を３つ以上の接続経路で電気的に接続する構成を有することを特徴とする。
［１９］  第４の本発明に係る静電容量方式タッチパネルは、上述した第１〜第３の本発明に係る導電シートを有することを特徴とする。
【発明の効果】
【０００８】
以上説明したように、本発明によれば、感知部間又はパッド間を接続する接続部が完全に断線する蓋然性を従来よりも低くすることができ、しかも、基体上に形成される導電パターンの低抵抗化を図ることができると共に、視認性も向上させることができ、例えば静電容量方式タッチパネルに用いて好適となる。
【図面の簡単な説明】
【０００９】
【図１】第１の実施の形態に係る積層導電シート（第１積層導電シート）を一部省略して示す分解斜視図である。
【図２】図２Ａは第１積層導電シートの一例を一部省略して示す断面図であり、図２Ｂは第１積層導電シートの他の例を一部省略して示す断面図である。
【図３】第１積層導電シートの第１導電シートに形成される第１導電部のパターン例を示す平面図である。
【図４】図３の第１接続部を拡大して示す平面図である。
【図５】図５Ａは第１接続部の結線状態を示す説明図であり、図５Ｂは第１接続部の第１変形例の結線状態を示す説明図であり、図５Ｃは第１接続部の第２変形例の結線状態を示す説明図である。
【図６】第１積層導電シートの第２導電シートに形成される第２導電部のパターン例を示す平面図である。
【図７】第１積層導電シートが適用されるタッチパネルを示す斜視図である。
【図８】第１導電シートと第２導電シートを組み合わせて第１積層導電シートとした例を一部省略して示す平面図である。
【図９】第２の実施の形態に係る積層導電シート（第２積層導電シート）の第１導電シートに形成される第１導電部のパターン例を示す平面図である。
【図１０】第２積層導電シートの第２導電シートに形成される第２導電部のパターン例を示す平面図である。
【図１１】第１導電シートと第２導電シートを組み合わせて第２積層導電シートとした例を一部省略して示す平面図である。
【図１２】第３の実施の形態に係る積層導電シート（第３積層導電シート）の第１導電シートに形成される第１導電部のパターン例を示す平面図である。
【図１３】第３積層導電シートの第２導電シートに形成される第２導電部のパターン例を示す平面図である。
【図１４】第１導電シートと第２導電シートを組み合わせて第３積層導電シートとした例を一部省略して示す平面図である。
【図１５】第４の実施の形態に係る積層導電シート（第４積層導電シート）の第１導電シートに形成される第１導電部のパターン例を示す平面図である。
【図１６】図１５の第１接続部を拡大して示す平面図である。
【図１７】第４積層導電シートの第２導電シートに形成される第２導電部のパターン例を示す平面図である。
【図１８】第１導電シートと第２導電シートを組み合わせて第４積層導電シートとした例を一部省略して示す平面図である。
【図１９】第５の実施の形態に係る積層導電シート（第５積層導電シート）の第１導電シートに形成される第１導電部のパターン例を示す平面図である。
【図２０】第５積層導電シートの第２導電シートに形成される第２導電部のパターン例を示す平面図である。
【図２１】第１導電シートと第２導電シートを組み合わせて第５積層導電シートとした例を一部省略して示す平面図である。
【図２２】第６の実施の形態に係る積層導電シート（第６積層導電シート）の第１導電シートに形成される第１導電部のパターン例を示す平面図である。
【図２３】第６積層導電シートの第２導電シートに形成される第２導電部のパターン例を示す平面図である。
【図２４】第１導電シートと第２導電シートを組み合わせて第６積層導電シートとした例を一部省略して示す平面図である。
【図２５】第１積層導電シートの製造方法を示すフローチャートである。
【図２６】図２６Ａは作製された感光材料を一部省略して示す断面図であり、図２６Ｂは感光材料に対する両面同時露光を示す説明図である。
【図２７】第１感光層に照射された光が第２感光層に到達せず、第２感光層に照射された光が第１感光層に到達しないようにして第１露光処理及び第２露光処理を行っている状態を示す説明図である。
【発明を実施するための形態】
【００１０】
以下、本発明に係る導電シート及び静電容量方式タッチパネルの実施の形態例について図１〜図２７を参照しながら説明する。なお、本明細書において数値範囲を示す「〜」は、その前後に記載される数値を下限値及び上限値として含む意味として使用される。
【００１１】
第１の実施の形態に係る積層導電シート（以下、第１積層導電シート１０Ａと記す）は、図１及び図２Ａに示すように、第１導電シート１２Ａと第２導電シート１２Ｂとが積層されて構成されている。ｘ方向は、例えば後述する投影型静電容量方式のタッチパネル１００（図７参照）の水平方向（又は垂直方向）あるいはタッチパネル１００を設置した表示パネル１１０の水平方向（又は垂直方向）を示す。
【００１２】
第１導電シート１２Ａは、図１及び図３に示すように、第１透明基体１４Ａ（図２Ａ参照）の一主面上に形成された第１導電部１６Ａを有する。この第１導電部１６Ａは、それぞれ第１方向（ｘ方向）に延在し、且つ、第１方向と直交する第２方向（ｙ方向）に配列され、多数の格子にて構成された金属細線による２以上の第１導電パターン１８Ａと、各第１導電パターン１８Ａの周辺に配列された金属細線による第１補助パターン２０Ａとを有する。
【００１３】
第１導電パターン１８Ａは、金属細線による２以上の第１大格子２４Ａ（第１感知部、第１パッド部）が第１方向に直列に接続されて構成され、各第１大格子２４Ａは、それぞれ２以上の小格子２６が組み合わされて構成されている。また、第１大格子２４Ａの辺の周囲に、第１大格子２４Ａと非接続とされた上述の第１補助パターン２０Ａが形成されている。なお、小格子２６は、ここでは一番小さい正方形状とされている。隣接する第１大格子２４Ａ間には、これら第１大格子２４Ａを電気的に接続する第１接続部２８Ａが形成されている。金属細線は例えば金（Ａｕ）、銀（Ａｇ）又は銅（Ｃｕ）で構成されている。以下の説明では、金属細線を導線とも記す。
【００１４】
図３に示すように、第１大格子２４Ａは、正方形の対角線上に位置する角部において小格子２６の一部（本実施の形態では５つの小格子２６）を除去した形状を有し、直線形状の４つの直辺３０と、ジグザグ形状の２つの多角辺３２とを有している。
【００１５】
１つの第１大格子２４Ａと第１接続部２８Ａとの接続点（接点）は、この例では３つ存在し、第１接点３４、第２接点３６及び第３接点３８である。第１接点３４は、第１大格子２４Ａに含まれる小格子２６の頂点のうち、隣接する第１大格子２４Ａに最も近い頂点が対応する。第２接点３６は、多角辺３２に位置して第１接点３４と隣接する頂点が対応する。第３接点３８は、直辺３０と多角辺３２との交点であって隣接する第１大格子２４Ａに２番目に近い頂点が対応する。なお、後述する第２大格子２４Ｂについても同様とする。また、隣接する第１大格子２４Ａのうち、両者を区別する場合には、一方の第１大格子２４Ａに参照符号２４Ａａを付し、他方の第１大格子２４Ａに参照符号２４Ａｂを付して説明する。
【００１６】
第１接続部２８Ａは、１つの頂角を有し、一方の第１大格子２４Ａａの第１接点３４と他方の第１大格子２４Ａｂの第２接点３６との間を結ぶＬ字状の第１導線部４０ａと、１つの頂角を有し、他方の第１大格子２４Ａｂの第１接点３４と一方の第１大格子２４Ａａの第２接点３６との間を結ぶＬ字状の第２導線部４０ｂとを有し、これら第１導線部４０ａと第２導線部４０ｂとで１つの長方形部４２を形づくっている。
【００１７】
ここで、第１方向と第２方向とを二等分する方向を第３方向（ｍ方向）とし、第３方向と直交する方向を第４方向（ｎ方向）としたとき、第１接続部２８Ａは、一方の第１大格子２４Ａａの第３接点３８から第１導線部４０ａまで第４方向に延びる第３導線部４０ｃと、他方の第１大格子２４Ａｂの第３接点３８から第２導線部４０ｂまで第４方向に延びる第４導線部４０ｄとを有する。また、第１接続部２８Ａは、第１導線部４０ａと第３導線部４０ｃとの交点Ｐ１、第２導線部４０ｂと第３導線部４０ｃとの交点Ｐ２、第２導線部４０ｂと第４導線部４０ｄとの交点Ｐ３、第１導線部４０ａと第４導線部４０ｄとの交点Ｐ４を有する。すなわち、第１接続部２８Ａを構成する長方形部４２は、一方の第１大格子２４Ａａ側の第１長方形部４２ａ（第１接点３４、第２接点３６、第１交点Ｐ１及び第２交点Ｐ２を有する）と、第１交点Ｐ１〜第４交点Ｐ４を有する第２長方形部４２ｂと、他方の第１大格子２４Ａｂ側の第１長方形部４２ａ（第１接点３４、第２接点３６、第３交点Ｐ３及び第４交点Ｐ４を有する）とを有する。
【００１８】
第１長方形部４２ａの長辺は小格子２６の一辺の長さの３倍の長さを有し、短辺は小格子２６の一辺の長さの２倍の長さを有する。また、第２長方形部４２ｂの長辺は小格子２６の一辺の長さの３倍の長さを有し、短辺は小格子２６の一辺の長さを有する。すなわち、第１長方形部４２ａの互いに対向する金属細線（長辺）間の距離をＬａ、第２長方形部４２ｂの互いに対向する金属細線（長辺）間の距離をＬｂとしたとき、Ｌａ＞Ｌｂを満足する。好ましくは、１．２×Ｌｂ≦Ｌａ≦３．０×Ｌｂである。この例では、上述したように、距離Ｌｂが小格子２６の一辺の長さと同じであって、Ｌａ＝２×Ｌｂである。
【００１９】
図４に示すように、第１導線部４０ａは、一方の第１大格子２４Ａａの第１接点３４から第４方向に延びた第１導線４４ａと、第１導線４４ａの先端から第１交点Ｐ１にかけて第３方向に延びる第２導線４４ｂと、第１交点Ｐ１と第４交点Ｐ４とを結ぶ第３導線４４ｃと、第４交点Ｐ４と他方の第１大格子２４Ａｂの第２接点３６とを結ぶ第４導線４４ｄとを有する。
第２導線部４０ｂは、他方の第１大格子２４Ａｂの第１接点３４から第４方向に延びた第５導線４４ｅと、第５導線４４ｅの先端から第３交点Ｐ３にかけて第３方向に延びる第６導線４４ｆと、第３交点Ｐ３と第２交点Ｐ２とを結ぶ第７導線４４ｇと、第２交点Ｐ２と一方の第１大格子２４Ａａの第２接点３６とを結ぶ第８導線４４ｈとを有する。
第３導線部４０ｃは、一方の第１大格子２４Ａａの第３接点３８と第２交点Ｐ２とを結ぶ第９導線４４ｉと、第２交点Ｐ２と第１交点Ｐ１とを結ぶ第１０導線４４ｊとを有する。
第４導線部４０ｄは、他方の第１大格子２４Ａｂの第３接点３８と第４交点Ｐ４とを結ぶ第１１導線４４ｋと、第４交点Ｐ４と第３交点Ｐ３とを結ぶ第１２導線４４ｌとを有する。
【００２０】
上述のように構成された第１接続部２８Ａは、第１大格子２４Ａ間を３つ以上の接続経路で電気的に接続されることとなる。具体的には、第１接続部２８Ａは、第１大格子２４Ａａの第１接点３４を通る場合に次の６つの接続経路を有する。
（１）  第１大格子２４Ａａの第１接点３４から導線４４ａ、４４ｂ、４４ｃ、４４ｌ、４４ｆ、４４ｅを介して第１大格子２４Ａｂの第１接点３４に繋がる第１接続経路（小格子の一辺の１２倍の長さ）。
（２）  第１大格子２４Ａａの第１接点３４から導線４４ａ、４４ｂ、４４ｊ、４４ｇ、４４ｆ、４４ｅを介して第１大格子２４Ａｂの第１接点３４に繋がる第２接続経路（小格子の一辺の１２倍の長さ）。
（３）  第１大格子２４Ａａの第１接点３４から導線４４ａ、４４ｂ、４４ｃ、４４ｄを介して第１大格子２４Ａｂの第２接点３６に繋がる第３接続経路（小格子の一辺の７倍の長さ）。
（４）  第１大格子２４Ａａの第１接点３４から導線４４ａ、４４ｂ、４４ｊ、４４ｇ、４４ｌ、４４ｄを介して第１大格子２４Ａｂの第２接点３６に繋がる第４接続経路（小格子の一辺の１３倍の長さ）。
（５）  第１大格子２４Ａａの第１接点３４から導線４４ａ、４４ｂ、４４ｃ、４４ｋを介して第１大格子２４Ａｂの第３接点３８に繋がる第５接続経路（小格子の一辺の７倍の長さ）。
（６）  第１大格子２４Ａａの第１接点３４から導線４４ａ、４４ｂ、４４ｊ、４４ｇ、４４ｌ、４４ｋを介して第１大格子２４Ａｂの第３接点３８に繋がる第６接続経路（小格子の一辺の１３倍の長さ）。
【００２１】
なお、第１大格子２４Ａａの第２接点３６を通る場合と、第１大格子２４Ａａの第３接点３８を通る場合の具体的な接続経路の説明は省略するが、それぞれ６つの接続経路を有することとなるので、結果として、第１接続部２８Ａは、１８通りの接続経路を有する。
つまり、一般化して述べると、一方の大格子と接続部との複数の接点から接続部内への金属細線の数をＮａ、接続部内の複数の交点間の金属細線の数をＮｂ、他方の大格子と接続部との接点から接続部内への金属細線の数をＮｃ、隣接する大格子間の接続経路の数をＮとしたとき、
Ｎ＝Ｎａ×（Ｎｂ＋Ｎｃ−１）
である。
【００２２】
図３に示す第１接続部２８Ａの例では、図５Ａに示すように、Ｎａ＝３、Ｎｂ＝４、Ｎｃ＝３であるから、Ｎ＝３×（４＋３−１）＝１８となる。
第１接続部２８Ａの変形例として、図５Ｂや図５Ｃの例が考えられる。図５Ｂの第１変形例では、Ｎａ＝４、Ｎｂ＝７、Ｎｃ＝４であるから、Ｎ＝４×（７＋４−１）＝４０となる。また、図５Ｃの第２変形例では、Ｎａ＝４、Ｎｂ＝１２、Ｎｃ＝４であるから、Ｎ＝４×（１２＋４−１）＝６０となる。
【００２３】
さらに、第１接続部２８Ａは、第１長方形部４２ａの長辺（小格子２６の一辺の長さの３倍以上の長さを有する）のうち、各第１接点３４から第２長方形部４２ｂに向かって直交して延びる金属細線による張り出し部（第１突出線５２Ａ）を有する。つまり、この張り出し部は第１接続部２８Ａ内に張り出した形態となっている。第１突出線５２Ａの長さは、小格子２６の一辺の長さ同等の長さを有している。
また、隣接する第１導電パターン１８Ａ間は電気的に絶縁された第１絶縁部５４Ａが配されている。
【００２４】
第１補助パターン２０Ａは、第１大格子２４Ａの辺のうち、第３方向と直交する辺に沿って配列された複数の第１補助線５６Ａ（第３方向を軸線方向とする）と、第１大格子２４Ａの辺のうち、第４方向と直交する辺に沿って配列された複数の第１補助線５６Ａ（第４方向を軸線方向とする）と、第１絶縁部５４Ａにおいて、それぞれ２つの第１補助線５６ＡがＬ字状に組み合わされた２つの第１Ｌ字状パターン５８Ａが互いに対向して配置されたパターンとを有する。
各第１補助線５６Ａの軸線方向の長さは小格子２６の内周に沿った１つの辺の１／２の長さを有する。また、各第１補助線５６Ａは、第１大格子２４Ａから所定距離（この例では、小格子２６の内周に沿った１つの辺の１／２の長さ）だけ離間した位置に形成されている。
【００２５】
上述のように構成された第１導電シート１２Ａは、図１に示すように、各第１導電パターン１８Ａの一方の端部側に存在する第１大格子２４Ａの開放端は、第１接続部２８Ａが存在しない形状となっている。各第１導電パターン１８Ａの他方の端部側に存在する第１大格子２４Ａの端部は、第１結線部６０Ａを介して金属細線による第１端子配線パターン６２Ａに電気的に接続されている。
【００２６】
一方、第２導電シート１２Ｂは、図１及び図６に示すように、第２透明基体１４Ｂ（図２Ａ参照）の一主面上に形成された第２導電部１６Ｂを有する。この第２導電部１６Ｂは、それぞれ第２方向（ｙ方向）に延在し、且つ、第１方向（ｘ方向）に配列され、多数の格子にて構成された金属細線による２以上の第２導電パターン１８Ｂと、各第２導電パターン１８Ｂの周辺に配列された金属細線による第２補助パターン２０Ｂとを有する。
【００２７】
第２導電パターン１８Ｂは、金属細線による２以上の第２大格子２４Ｂ（第２感知部、第２パッド部）が第２方向に直列に接続されて構成され、各第２大格子２４Ｂは、それぞれ２以上の小格子２６が組み合わされて構成されている。また、第２大格子２４Ｂの辺の周囲に、第２大格子２４Ｂと非接続とされた上述の第２補助パターン２０Ｂが形成されている。隣接する第２大格子２４Ｂ間には、これら第２大格子２４Ｂを電気的に接続する第２接続部２８Ｂが形成されている。
【００２８】
図６に示すように、第２大格子２４Ｂは、正方形の対角線上に位置する角部において小格子２６の一部（本実施の形態では５つの小格子２６）を除去した形状を有し、直線形状の４つの直辺３０と、ジグザグ形状の２つの多角辺３２とを有している。
【００２９】
以下の説明では、隣接する第２大格子２４Ｂのうち、両者を区別する場合には、一方の第２大格子２４Ｂに参照符号２４Ｂａを付し、他方の第２大格子２４Ｂに参照符号２４Ｂｂを付して説明する。
【００３０】
第２接続部２８Ｂは、上述した第１接続部２８Ａと同様であるので、その重複説明を省略するが、１つの頂角を有し、一方の第２大格子２４Ｂａの第１接点３４と他方の第２大格子２４Ｂｂの第２接点３６との間を結ぶＬ字状の第５導線部４０ｅと、１つの頂角を有し、他方の第２大格子２４Ｂｂの第１接点３４と一方の第２大格子２４Ｂａの第２接点３６との間を結ぶＬ字状の第６導線部４０ｆとを有し、これら第５導線部４０ｅと第６導線部４０ｆとで１つの長方形部４２を形づくっている。
第２接続部２８Ｂは、一方の第２大格子２４Ｂａの第３接点３８から第５導線部４０ｅまで第４方向に延びる第７導線部４０ｇと、他方の第２大格子２４Ｂｂの第３接点３８から第６導線部４０ｆまで第４方向に延びる第８導線部４０ｈとを有する。
第５導線部４０ｅは、第１導線部４０ａと同様に、図６において、参照符号の表記を省略するが、第１導線４４ａ〜第４導線４４ｄを有し、第６導線部４０ｆは、第２導線部４０ｂと同様に、第５導線４４ｅ〜第８導線４４ｈを有し、第７導線部４０ｇは、第３導線部４０ｃと同様に、第９導線４４ｉ及び第１０導線４４ｊを有し、第８導線部４０ｈは、第４導線部４０ｄと同様に、第１１導線４４ｋ及び第１２導線４４ｌを有する。
第２接続部２８Ｂのその他の構成は、上述した第１接続部２８Ａと同様であるので、その重複説明を省略する。
この第２導電シート１２Ｂにおいて、隣接する第２導電パターン１８Ｂ間は電気的に絶縁された第２絶縁部５４Ｂが配されている。
【００３１】
第２補助パターン２０Ｂは、第２大格子２４Ｂの辺のうち、第４方向と直交する辺に沿って配列された複数の第２補助線５６Ｂ（第４方向を軸線方向とする）と、第２大格子２４Ｂの辺のうち、第３方向と直交する辺に沿って配列された複数の第２補助線５６Ｂ（第３方向を軸線方向とする）と、第２絶縁部５４Ｂにおいて、それぞれ２つの第２補助線５６ＢがＬ字状に組み合わされた２つの第２Ｌ字状パターン５８Ｂが互いに対向して配置されたパターンとを有する。
各第２補助線５６Ｂの軸線方向の長さは小格子２６の内周に沿った１つの辺の１／２の長さを有する。また、各第２補助線５６Ｂは、第２大格子２４Ｂから所定距離（この例では、小格子２６の内周に沿った１つの辺の１／２の長さ）だけ離間した位置に形成されている。
【００３２】
上述のように構成された第２導電シート１２Ｂは、図１に示すように、１つ置き（例えば奇数番目）の第２導電パターン１８Ｂの一方の端部側に存在する第２大格子２４Ｂの開放端、並びに偶数番目の第２導電パターン１８Ｂの他方の端部側に存在する第２大格子２４Ｂの開放端には、それぞれ第２接続部２８Ｂが存在しない形状となっている。一方、奇数番目の各第２導電パターン１８Ｂの他方の端部側に存在する第２大格子２４Ｂの端部、並びに偶数番目の各第２導電パターン１８Ｂの一方の端部側に存在する第２大格子２４Ｂの端部は、それぞれ第２結線部６０Ｂを介して金属細線による第２端子配線パターン６２Ｂに電気的に接続されている。
【００３３】
第１大格子２４Ａ及び第２大格子２４Ｂの一辺の長さ（直辺３０の長さ）は、３〜１０ｍｍであることが好ましく、４〜６ｍｍであることがより好ましい。一辺の長さが、上記下限値未満であると、第１導電シート１２Ａ及び第２導電シート１２Ｂを例えばタッチパネルに利用した場合に、検出時の第１大格子２４Ａ及び第２大格子２４Ｂの静電容量が減るため、検出不良になる可能性が高くなる。他方、上記上限値を超えると、位置検出精度が低下する虞がある。同様の観点から、第１大格子２４Ａ及び第２大格子２４Ｂを構成する小格子２６の一辺の長さは５０μｍ以上であることが好ましく、５０〜５００μｍであることがより好ましく、１５０〜３００μｍであることがさらに好ましい。小格子２６が上記範囲である場合には、さらに透明性も良好に保つことが可能であり、表示装置の前面にとりつけた際に、違和感なく表示を視認することができる。
また、第１導電パターン１８Ａ（第１大格子２４Ａ、第１接続部２８Ａ）の線幅、並びに第２導電パターン１８Ｂ（第２大格子２４Ｂ、第２接続部２８Ｂ）の線幅は、それぞれ１〜１５μｍである。
【００３４】
第１補助パターン２０Ａ（第１補助線５６Ａ）及び第２補助パターン２０Ｂ（第２補助線５６Ｂ）の線幅はそれぞれ１〜１５μｍである。この場合、第１導電パターン１８Ａの線幅や第２導電パターン１８Ｂの線幅と同じでもよく、異なっていてもよい。ただ、第１導電パターン１８Ａ、第２導電パターン１８Ｂ、第１補助パターン２０Ａ及び第２補助パターン２０Ｂの各線幅を同じにすることが好ましい。
【００３５】
ここで、上述の第１導電シート１２Ａ及び第２導電シート１２Ｂを用いたタッチパネル１００について図７も参照しながら説明する。
タッチパネル１００は、センサ本体１０２と図示しない制御回路（ＩＣ回路等で構成）とを有する。センサ本体１０２は、図１、図２Ａ及び図７に示すように、上述した第１導電シート１２Ａと第２導電シート１２Ｂとが積層されて構成された第１積層導電シート１０Ａと、その上に積層された保護層１０６（図２Ａでは保護層１０６の記述を省略している）とを有する。第１積層導電シート１０Ａ及び保護層１０６は、例えば液晶ディスプレイ等の表示装置１０８における表示パネル１１０上に配置されるようになっている。センサ本体１０２は、上面から見たときに、表示パネル１１０の表示画面１１０ａに対応した領域に配されたセンサ部１１２と、表示パネル１１０の外周部分に対応する領域に配された端子配線部１１４（いわゆる額縁）とを有する。
【００３６】
タッチパネル１００に適用した第１導電シート１２Ａは、図１に示すように、センサ部１１２に対応した部分に、上述した多数の第１導電パターン１８Ａが配列され、端子配線部１１４には各第１結線部６０Ａから導出された金属細線による複数の第１端子配線パターン６２Ａが配列されている。
【００３７】
図７の例では、第１導電シート１２Ａの外形は、上面から見て長方形状を有し、センサ部１１２の外形も長方形状を有する。端子配線部１１４のうち、第１導電シート１２Ａの一方の長辺側の周縁部には、その長さ方向中央部分に、複数の第１端子１１６ａが前記一方の長辺の長さ方向に配列形成されている。また、センサ部１１２の一方の長辺（第１導電シート１２Ａの一方の長辺に最も近い長辺：ｙ方向）に沿って複数の第１結線部６０Ａが直線状に配列されている。各第１結線部６０Ａから導出された第１端子配線パターン６２Ａは、第１導電シート１２Ａの一方の長辺におけるほぼ中央部に向かって引き回され、それぞれ対応する第１端子１１６ａに電気的に接続されている。従って、センサ部１１２における一方の長辺の両側に対応する各第１結線部６０Ａに接続された第１端子配線パターン６２Ａは、ほぼ同じ長さにて引き回されることになる。もちろん、第１端子１１６ａを第１導電シート１２Ａのコーナー部やその近傍に形成してもよいが、複数の第１端子配線パターン６２Ａのうち、最も長い第１端子配線パターン６２Ａと最も短い第１端子配線パターン６２Ａとの間に大きな長さ上の違いが生じ、最も長い第１端子配線パターン６２Ａとその近傍の複数の第１端子配線パターン６２Ａに対応する第１導電パターン１８Ａへの信号伝達が遅くなるという問題がある。そこで、本実施の形態のように、第１導電シート１２Ａの一方の長辺の長さ方向中央部分に、第１端子１１６ａを形成することで、局所的な信号伝達の遅延を抑制することができる。これは、応答速度の高速化につながる。
【００３８】
同様に、第２導電シート１２Ｂにおいても、センサ部１１２に対応した部分に、多数の第２導電パターン１８Ｂが配列され、端子配線部１１４には各第２結線部６０Ｂから導出された複数の第２端子配線パターン６２Ｂが配列されている。
図７に示すように、端子配線部１１４のうち、第２導電シート１２Ｂの一方の長辺側の周縁部には、その長さ方向中央部分に、複数の第２端子１１６ｂが前記一方の長辺の長さ方向に配列形成されている。また、センサ部１１２の一方の短辺（第２導電シート１２Ｂの一方の短辺に最も近い短辺：ｘ方向）に沿って複数の第２結線部６０Ｂ（例えば奇数番目の第２結線部６０Ｂ）が直線状に配列され、センサ部１１２の他方の短辺（第２導電シート１２Ｂの他方の短辺に最も近い短辺：ｘ方向）に沿って複数の第２結線部６０Ｂ（例えば偶数番目の第２結線部６０Ｂ）が直線状に配列されている。
【００３９】
複数の第２導電パターン１８Ｂのうち、例えば奇数番目の第２導電パターン１８Ｂが、それぞれ対応する奇数番目の第２結線部６０Ｂに接続され、偶数番目の第２導電パターン１８Ｂが、それぞれ対応する偶数番目の第２結線部６０Ｂに接続されている。奇数番目の第２結線部６０Ｂから導出された第２端子配線パターン６２Ｂ並びに偶数番目の第２結線部６０Ｂから導出された第２端子配線パターン６２Ｂは、第２導電シート１２Ｂの一方の長辺におけるほぼ中央部に向かって引き回され、それぞれ対応する第２端子１１６ｂに電気的に接続されている。従って、例えば第１番目と第２番目の第２端子配線パターン６２Ｂは、ほぼ同じ長さにて引き回され、以下同様に、第２ｎ−１番目と第２ｎ番目の第２端子配線パターン６２Ｂは、それぞれほぼ同じ長さにて引き回されることになる（ｎ＝１、２、３・・・）。
【００４０】
もちろん、第２端子１１６ｂを第２導電シート１２Ｂのコーナー部やその近傍に形成してもよいが、上述したように、最も長い第２端子配線パターン６２Ｂとその近傍の複数の第２端子配線パターン６２Ｂに対応する第２導電パターン１８Ｂへの信号伝達が遅くなるという問題がある。そこで、本実施の形態のように、第２導電シート１２Ｂの一方の長辺の長さ方向中央部分に、第２端子１１６ｂを形成することで、局所的な信号伝達の遅延を抑制することができる。これは、応答速度の高速化につながる。
なお、第１端子配線パターン６２Ａの導出形態を上述した第２端子配線パターン６２Ｂと同様にし、第２端子配線パターン６２Ｂの導出形態を上述した第１端子配線パターン６２Ａと同様にしてもよい。
そして、この第１積層導電シート１０Ａをタッチパネル１００として使用する場合は、第１導電シート１２Ａ上に保護層を形成し、第１導電シート１２Ａの多数の第１導電パターン１８Ａから導出された第１端子配線パターン６２Ａと、第２導電シート１２Ｂの多数の第２導電パターン１８Ｂから導出された第２端子配線パターン６２Ｂとを、例えばスキャンをコントロールする制御回路に接続する。
【００４１】
タッチ位置の検出方式としては、自己容量方式や相互容量方式を好ましく採用することができる。すなわち、自己容量方式であれば、第１導電パターン１８Ａに対して順番にタッチ位置検出のための電圧信号を供給し、第２導電パターン１８Ｂに対して順番にタッチ位置検出のための電圧信号を供給する。指先が保護層１０６の上面に接触又は近接させることで、タッチ位置に対向する第１導電パターン１８Ａ及び第２導電パターン１８ＢとＧＮＤ（グランド）間の容量が増加することから、当該第１導電パターン１８Ａ及び第２導電パターン１８Ｂからの伝達信号の波形が他の導電パターンからの伝達信号の波形と異なった波形となる。従って、制御回路では、第１導電パターン１８Ａ及び第２導電パターン１８Ｂから供給された伝達信号に基づいてタッチ位置を演算する。一方、相互容量方式の場合は、例えば第１導電パターン１８Ａに対して順番にタッチ位置検出のための電圧信号を供給し、第２導電パターン１８Ｂに対して順番にセンシング（伝達信号の検出）を行う。指先が保護層１０６の上面に接触又は近接させることで、タッチ位置に対向する第１導電パターン１８Ａと第２導電パターン１８Ｂ間の寄生容量に対して並列に指の浮遊容量が加わることから、当該第２導電パターン１８Ｂからの伝達信号の波形が他の第２導電パターン１８Ｂからの伝達信号の波形と異なった波形となる。従って、制御回路では、電圧信号を供給している第１導電パターン１８Ａの順番と、供給された第２導電パターン１８Ｂからの伝達信号に基づいてタッチ位置を演算する。このような自己容量方式又は相互容量方式のタッチ位置の検出方法を採用することで、保護層１０６の上面に同時に２つの指先を接触又は近接させても、各タッチ位置を検出することが可能となる。なお、投影型静電容量方式の検出回路に関する先行技術文献として、米国特許第４，５８２，９５５号明細書、米国特許第４，６８６，３３２号明細書、米国特許第４，７３３，２２２号明細書、米国特許第５，３７４，７８７号明細書、米国特許第５，５４３，５８８号明細書、米国特許第７，０３０，８６０号明細書、米国公開特許第２００４／０１５５８７１号明細書等がある。
【００４２】
そして、例えば第２導電シート１２Ｂ上に第１導電シート１２Ａを積層して第１積層導電シート１０Ａとしたとき、図８に示すように、第１導電パターン１８Ａと第２導電パターン１８Ｂとが交差して配置された形態とされ、具体的には、第１導電パターン１８Ａの第１接続部２８Ａと第２導電パターン１８Ｂの第２接続部２８Ｂとが第１透明基体１４Ａ（図２Ａ参照）を間に挟んで対向し、第１導電部１６Ａの第１絶縁部５４Ａと第２導電部１６Ｂの第２絶縁部５４Ｂとが第１透明基体１４Ａを間に挟んで対向した形態となる。なお、第１導電パターン１８Ａと第２導電パターン１８Ｂの各線幅は同じであるが、図３、図６、図８〜図１５、図１７〜図２４では、第１導電パターン１８Ａと第２導電パターン１８Ｂの位置がわかるように、第１導電パターン１８Ａの線幅を太く、第２導電パターン１８Ｂの線幅を細くして誇張して図示してある。
【００４３】
積層した第１導電シート１２Ａ及び第２導電シート１２Ｂを上面から見たとき、第１導電シート１２Ａに形成された第１大格子２４Ａの隙間を埋めるように、第２導電シート１２Ｂの第２大格子２４Ｂが配列された形態となる。つまり、大格子が敷き詰められた形態となる。このとき、第１大格子２４Ａと第２大格子２４Ｂとの間に、第１補助パターン２０Ａと第２補助パターン２０Ｂとが対向することによる組合せパターン７５が形成される。
【００４４】
組合せパターン７５は、第１補助線５６Ａと第２補助線５６Ｂとが直交して重ならない形態を有する。
すなわち、組合せパターン７５のうち、第１大格子２４Ａの辺に沿って配列された第１補助線５６Ａと第２大格子２４Ｂの辺に沿って配列された第２補助線５６Ｂとによる組合せパターン７５は、各第１補助線５６Ａの一方の端部（第１大格子２４Ａに遠い側の端部）が第２大格子２４Ｂの直辺３０に接続されたような形状になると共に、各第１補助線５６Ａの他方の端部（第１大格子２４Ａに近い側の端部）が第２補助線５６Ｂの一方の端部（第２大格子２４Ｂに近い側の端部）に接続されたような形状になり、同様に、各第２補助線５６Ｂの他方の端部（第２大格子２４Ｂに遠い側の端部）が第１大格子２４Ａの直辺３０に接続されたような形状になって、結果的に複数の小格子２６が配列された形態となり、第１大格子２４Ａと第２大格子２４Ｂとの境界をほとんど見分けることができない状態となる。
【００４５】
ここで、例えば第１補助パターン２０Ａ及び第２補助パターン２０Ｂを形成しなかった場合は、組合せパターン７５の幅に相当する空白領域が形成され、これにより、第１大格子２４Ａの境界、第２大格子２４Ｂの境界が目立ってしまい、視認性が劣化するという問題が生じる。これを避けるために、第１大格子２４Ａの各直辺３０に第２大格子２４Ｂの直辺３０を重ねて、空白領域をなくすことも考えられるが、重ね合わせの位置精度の僅かなズレにより、直線形状同士の重なり部分の幅が大きくなり（線太り）、これにより、第１大格子２４Ａと第２大格子２４Ｂとの境界が目立ってしまい、視認性が劣化するという問題が生じる。
これに対して、本実施の形態では、上述したように、第１補助線５６Ａと第２補助線５６Ｂとの重なりにより、第１大格子２４Ａと第２大格子２４Ｂとの境界が目立たなくなり、視認性が向上する。
【００４６】
また、上述したように、第１大格子２４Ａの各直辺３０に第２大格子２４Ｂの直辺３０を重ねて、空白領域をなくした場合、第１大格子２４Ａの各直辺３０の直下に第２大格子２４Ｂの直辺３０が位置することになる。このとき、第１大格子２４Ａの直辺３０並びに第２大格子２４Ｂの直辺３０もそれぞれ導電部分として機能することから、第１大格子２４Ａの直辺３０と第２大格子２４Ｂの直辺３０との間に寄生容量が形成され、この寄生容量の存在が電荷情報に対してノイズ成分として働き、Ｓ／Ｎ比の著しい低下を引き起こす。しかも、各第１大格子２４Ａと各第２大格子２４Ｂ間に寄生容量が形成されることから、第１導電パターン１８Ａと第２導電パターン１８Ｂに多数の寄生容量が並列に接続された形態となり、その結果、ＣＲ時定数が大きくなるという問題がある。ＣＲ時定数が大きくなると、第１導電パターン１８Ａ（及び第２導電パターン１８Ｂ）に供給された電圧信号の波形の立ち上がり時間が遅くなり、所定のスキャン時間において位置検出のための電界の発生がほとんど行われなくなるおそれがある。また、第１導電パターン１８Ａ及び第２導電パターン１８Ｂからの伝達信号の波形の立ち上がり時間又は立ち下がり時間も遅くなり、所定のスキャン時間において伝達信号の波形の変化を捉えることができなくなるおそれがある。これは、検出精度の低下、応答速度の低下につながる。つまり、検出精度の向上、応答速度の向上を図るためは、第１大格子２４Ａ及び第２大格子２４Ｂの数を減らしたり（分解能の低減）、適応させる表示画面のサイズを小さくするしかなく、例えばＢ５版、Ａ４版、それ以上の大画面に適用させることができないという問題が生ずる。
【００４７】
これに対して、本実施の形態では、図２Ａに示すように、第１大格子２４Ａの直辺３０と、第２大格子２４Ｂの直辺３０との投影距離Ｌｆを小格子２６の一辺の長さとほぼ同じにしている。そのため、第１大格子２４Ａと第２大格子２４Ｂ間に形成される寄生容量は小さくなる。その結果、ＣＲ時定数も小さくなり、検出精度の向上、応答速度の向上を図ることができる。なお、第１補助パターン２０Ａと第２補助パターン２０Ｂとの組合せパターン７５では、第１補助線５６Ａの端部と第２補助線５６Ｂの端部とがそれぞれ対向する場合もあるが、第１補助線５６Ａは第１大格子２４Ａから非接続とされて電気的に絶縁となっており、第２補助線５６Ｂも第２大格子２４Ｂから非接続とされて電気的に絶縁となっているため、第１大格子２４Ａと第２大格子２４Ｂ間に形成される寄生容量の増加にはつながらない。
【００４８】
上述の投影距離Ｌｆの最適距離は、第１大格子２４Ａ及び第２大格子２４Ｂのサイズよりは、第１大格子２４Ａ及び第２大格子２４Ｂを構成する小格子２６のサイズ（線幅及び一辺の長さ）に応じて適宜設定することが好ましい。この場合、一定のサイズを有する第１大格子２４Ａ及び第２大格子２４Ｂに対して、小格子２６のサイズが大きすぎると、透光性は向上するが、伝達信号のダイナミックレンジが小さくなることから、検出感度の低下を引き起こすおそれがある。反対に、小格子２６のサイズが小さすぎると、検出感度は向上するが、線幅の低減には限界があるため、透光性が劣化するおそれがある。
【００４９】
そこで、上述の投影距離Ｌｆの最適値（最適距離）は、小格子２６の線幅を１〜１５μｍとしたとき、１００〜４００μｍが好ましく、さらに好ましくは２００〜３００μｍである。小格子２６の線幅を狭くすれば、上述の最適距離も短くできるが、電気抵抗が高くなってくるため、寄生容量が小さくても、ＣＲ時定数が高くなってしまい、結果的に検出感度の低下、応答速度の低下を引き起こすおそれがある。従って、小格子２６の線幅は上述の範囲が好ましい。
【００５０】
そして、例えば表示パネル１１０のサイズあるいはセンサ部１１２のサイズとタッチ位置検出の分解能（駆動パルスのパルス周期等）とに基づいて、第１大格子２４Ａ及び第２大格子２４Ｂのサイズ並びに小格子２６のサイズが決定され、小格子２６の線幅を基準に第１大格子２４Ａと第２大格子２４Ｂ間の最適距離が割り出されることになる。
本実施の形態では、端子配線部１１４のうち、第１導電シート１２Ａの一方の長辺側の周縁部における長さ方向中央部分に複数の第１端子１１６ａを形成し、第２導電シート１２Ｂの一方の長辺側の周縁部における長さ方向中央部分に複数の第２端子１１６ｂを形成するようにしている。特に、図７の例では、第１端子１１６ａと第２端子１１６ｂとが重ならないように、且つ、互いに接近した状態で配列し、さらに、第１端子配線パターン６２Ａと第２端子配線パターン６２Ｂとが上下で重ならないようにしている。なお、第１端子１１６ａと例えば奇数番目の第２端子配線パターン６２Ｂとが一部上下で重なる形態にしてもよい。
これにより、複数の第１端子１１６ａ及び複数の第２端子１１６ｂを、２つのコネクタ（第１端子用コネクタ及び第２端子用コネクタ）あるいは１つのコネクタ（第１端子１１６ａ及び第２端子１１６ｂに接続される複合コネクタ）及びケーブルを介して制御回路に電気的に接続することができる。
また、第１端子配線パターン６２Ａと第２端子配線パターン６２Ｂとが上下で重ならないようにしているため、第１端子配線パターン６２Ａと第２端子配線パターン６２Ｂ間での寄生容量の発生が抑制され、応答速度の低下を抑えることができる。
【００５１】
第１結線部６０Ａをセンサ部１１２の一方の長辺に沿って配列し、第２結線部６０Ｂをセンサ部１１２の両側の短辺に沿って配列するようにしたので、端子配線部１１４の面積を縮小することができる。これは、タッチパネル１００を含めた表示パネル１１０の小型化を促進させることができると共に、表示画面１１０ａを印象的に大きく見せることができる。また、タッチパネル１００としての操作性も向上させることができる。
端子配線部１１４の面積をさらに小さくするには、隣接する第１端子配線パターン６２Ａ間の距離、隣接する第２端子配線パターン６２Ｂ間の距離を狭くすることが考えられるが、この場合、マイグレーションの発生防止を考慮すると、１０μｍ以上５０μｍ以下が好ましい。
【００５２】
その他、上面から見たときに、隣接する第１端子配線パターン６２Ａ間に第２端子配線パターン６２Ｂを配置することによって、端子配線部１１４の面積を小さくすることが考えられるが、パターンの形成ずれがあると、第１端子配線パターン６２Ａと第２端子配線パターン６２Ｂとが上下で重なり、配線間の寄生容量が大きくなるおそれがある。これは応答速度の低下をもたらす。そこで、このような配置構成を採用する場合は、隣接する第１端子配線パターン６２Ａ間の距離を５０μｍ以上１００μｍ以下にすることが好ましい。
図７に示すように、第１導電シート１２Ａと第２導電シート１２Ｂの例えば各コーナー部に、第１導電シート１２Ａと第２導電シート１２Ｂの貼り合わせの際に使用する位置決め用の第１アライメントマーク１１８ａ及び第２アライメントマーク１１８ｂを形成することが好ましい。この第１アライメントマーク１１８ａ及び第２アライメントマーク１１８ｂは、第１導電シート１２Ａと第２導電シート１２Ｂを貼り合わせて第１積層導電シート１０Ａとした場合に、新たな複合アライメントマークとなり、この複合アライメントマークは、該第１積層導電シート１０Ａを表示パネル１１０に設置する際に使用する位置決め用のアライメントマークとしても機能することになる。
この第１積層導電シート１０Ａにおいては、多数の第１導電パターン１８Ａ及び第２導電パターン１８ＢのＣＲ時定数を大幅に低減することができ、これにより、応答速度を速めることができ、駆動時間（スキャン時間）内での位置検出も容易になる。これは、タッチパネル１００の画面サイズ（縦×横のサイズで、厚みを含まず）の大型化を促進できることにつながる。
【００５３】
そして、第１接続部２８Ａと第２接続部２８Ｂとが対向した部分を上面から見たとき、第１導電シート１２Ａにおける第１導線部４０ａの第１導線４４ａと第２導線４４ｂとの交点が第２大格子２４Ｂの多角辺３２に位置する小格子２６の頂点７６に位置し、第２導電シート１２Ｂにおける第５導線部４０ｅの第１導線４４ａと第２導線４４ｂとの交点が第１大格子２４Ａの多角辺３２に位置する小格子２６の頂点７８に位置し、第１突出線５２Ａの各端部が第２接続部２８Ｂの第１交点Ｐ１及び第３交点Ｐ３に位置し、第２突出線５２Ｂの各端部が第１接続部２８Ａの第１交点Ｐ１及び第３交点Ｐ３に位置することとなり、これら第１接続部２８Ａにおける第１導線部４０ａ〜第４導線部４０ｄ及び第１突出線５２Ａ並びに第２接続部２８Ｂにおける第５導線部４０ｅ〜第８導線部４０ｈ及び第２突出線５２Ｂの組み合わせによって、複数の小格子２６が形成された形態となる。すなわち、第１接続部２８Ａと第２接続部２８Ｂとが対向した部分に、第１接続部２８Ａと第２接続部２８Ｂの組み合わせによって、複数の小格子２６が配列された形態となり、周りの第１大格子２４Ａを構成する小格子２６や第２大格子２４Ｂを構成する小格子２６と見分けがつかなくなり、視認性が向上する。
【００５４】
また、第１絶縁部５４Ａと第２絶縁部５４Ｂとが対向した部分を上面から見たとき、第１Ｌ字状パターン５８Ａの屈曲部が第２大格子２４Ｂの直辺３０同士の交点に位置すると共に、第２Ｌ字状パターン５８Ｂの屈曲部が第１大格子２４Ａの直辺３０同士の交点に位置することとなり、これら第１Ｌ字状パターン５８Ａ及び第２Ｌ字状パターン５８Ｂの組み合わせによって、複数の小格子２６が配列された形態となる。その結果、周りの第１大格子２４Ａを構成する小格子２６や第２大格子２４Ｂを構成する小格子２６と見分けがつかなくなり、視認性が向上する。
【００５５】
さらに、本実施の形態においては、第１接続部２８Ａによって第１大格子２４Ａ間を１８通りの接続経路で接続しているので、例えば、第１接続部２８Ａにおいて、第２導線部４０ｂの任意の部位と第３導線部４０ｃの任意の部位とが断線したとしても、断線していない上述した第１接続経路等によって第１大格子２４Ａ間の電気的な接続が確保される。これにより、第１接続部２８Ａが完全に断線する蓋然性を従来よりも低くすることができる。
【００５６】
また、本実施の形態では、第１接続部２８Ａは、小格子２６の一辺の長さの７倍の長さを有する接続経路（例えば、第３及び第５接続経路）と、小格子２６の一辺の長さの８倍の長さを有する接続経路と、小格子２６の一辺の長さの１２倍の長さを有する接続経路（例えば、第１及び第２接続経路）と、小格子２６の一辺の長さの１３倍の長さを有する接続経路（例えば、第４及び第６接続経路）とを有し、各接続経路に含まれる第３導線４４ｃ及び第７導線４４ｇの長さが小格子２６の一辺の長さと同等の長さを有している。そのため、接続経路のうち第３導線４４ｃ及び第７導線４４ｇが断線する確率は、１／７よりも低くなる。そのため、第１接続部２８Ａに含まれる２本の導線（第３導線４４ｃ及び第７導線４４ｇ）の両方が断線して第１接続部２８Ａが完全に断線する確率は相当低くなる。なお、小格子２６の一辺の長さの８倍の長さを有する接続経路の例としては、第１大格子２４Ａａの第３接点３８から第３導線部４０ｃ、第３導線４４ｃ及び第４導線４４ｄを介して第１大格子２４Ａｂの第２接点３６に繋がる接続経路等が挙げられる。
【００５７】
これは、第２接続部２８Ｂにおいても同様であり、第２接続部２８Ｂによって第２大格子２４Ｂ間を１８通りの接続経路で接続しているので、例えば、第２接続部２８Ｂにおいて、第６導線部４０ｆの任意の部位と第７導線部４０ｇの任意の部位とが断線したとしても、断線していない上述した第１接続経路等によって第２大格子２４Ｂ間の電気的な接続が確保される。これにより、第２接続部２８Ｂが完全に断線する蓋然性を従来よりも低くすることができる。
【００５８】
このように、第１積層導電シート１０Ａにおいては、該第１積層導電シート１０Ａを用いて例えば投影型静電容量方式のタッチパネルに適用した場合に、その表面抵抗が小さいことから応答速度を速めることができ、タッチパネルの大サイズ化を促進させることができる。また、電荷を蓄積するセルとして機能する第１大格子２４Ａ及び第２大格子２４Ｂがそれぞれ多数の小格子２６にて構成されていることから、第１大格子２４Ａ及び第２大格子２４Ｂに蓄積される信号電荷の量が多くなり、その結果、入力に対する出力ダイナミックレンジが大きくなる。これにより、第１導電シート１２Ａ、あるいは第２導電シート１２Ｂあるいは第１積層導電シート１０Ａをタッチパネルに使用した場合に、指先のタッチ位置を検出する感度（検出感度）を高めることができ、また、ノイズ成分に対する信号成分が大きくなることから、検出信号のＳ／Ｎ比を向上させることができる。これは、タッチ位置の検出精度の向上につながる。
【００５９】
しかも、第１導電シート１２Ａの第１大格子２４Ａの周辺に形成された第１補助パターン２０Ａと第２導電シート１２Ｂの第２大格子２４Ｂの周辺に形成された第２補助パターン２０Ｂとの組み合わせによって複数の小格子２６が形づくられ、また、第１接続部２８Ａと第２接続部２８Ｂとの組み合わせによって複数の小格子２６が形づくられ、さらに、第１絶縁部５４Ａと第２絶縁部５４Ｂとの組み合わせによって複数の小格子２６が形づくられることから、第１導電シート１２Ａの第１大格子２４Ａと第２導電シート１２Ｂの第２大格子２４Ｂとの境界が目立たなくなり、局部的に線太りが生じる等の不都合もなくなり、全体として、視認性が良好となる。
【００６０】
上述の第１積層導電シート１０Ａでは、小格子２６の形状を正方形状としたが、その他、多角形状としてもよい。また、一辺の形状を直線状のほか、湾曲形状でもよいし、円弧状にしてもよい。円弧状とする場合は、例えば対向する２辺については、外方に凸の円弧状とし、他の対向する２辺については、内方に凸の円弧状としてもよい。また、各辺の形状を、外方に凸の円弧と内方に凸の円弧が連続した波線形状としてもよい。もちろん、各辺の形状を、サイン曲線にしてもよい。
【００６１】
上述した第１導電シート１２Ａ及び第２導電シート１２Ｂにおいては、第１導線４４ａ及び第５導線４４ｅの長さを小格子２６の一辺の長さの２倍の長さに設定したが、その他、１．５倍、２．５倍、３倍等、種々の組み合わせに設定することができる。また、第１導線部４０ａの第３方向に沿った導線（第２導線４４ｂ、第３導線４４ｃ及び第４導線４４ｄ）、第２導線部４０ｂの第３方向に沿った導線（第５導線４４ｅ、第６導線４４ｆ及び第７導線４４ｇ）、第３導線部４０ｃ、第４導線部４０ｄのそれぞれの長さを小格子２６の一辺の長さの５倍の長さに設定したが、その他、３倍、４倍、６倍等、種々の組み合わせに設定することができる。但し、第１接続部２８Ａ及び第２接続部２８Ｂがあまりに大きすぎると、第１大格子２４Ａや第２大格子２４Ｂの配置が難しくなり、また、交差部での静電容量変化が大きくなってノイズ成分が大きくなるため、第１導線４４ａ及び第５導線４４ｅの長さを小格子２６の一辺の長さの４倍以下の長さに設定すると共に、第１導線部４０ａの第３方向に沿った導線、第２導線部４０ｂの第３方向に沿った導線、第３導線部４０ｃ及び第４導線部４０ｄのそれぞれの長さを小格子２６の内周に沿った１つの辺の６倍以下の長さに設定することが好ましい。
【００６２】
また、第１接続部２８Ａは、３つ以上の接続経路を有する限り、その構成を任意に変更することができる。例えば、第１接続部２８Ａにおいて、第３導線部４０ｃ又は第４導線部４０ｄを省略してもよい。この場合、第１接続部２８Ａは９通りの接続経路を有することとなる。つまり、第１接続部２８Ａは、第１大格子２４Ａａに含まれる１以上の小格子２６の頂点と第１大格子２４Ａｂに含まれる１以上の小格子２６の頂点との間を結ぶ３つ以上の導線を有していればよい。これは、第２接続部２８Ｂにおいても同様である。
【００６３】
また、小格子２６のサイズ（１辺の長さや対角線の長さ等）や、第１大格子２４Ａを構成する小格子２６の個数、第２大格子２４Ｂを構成する小格子２６の個数も、適用されるタッチパネルのサイズや分解能（配線数）に応じて適宜設定することができる。
【００６４】
上述の第１積層導電シート１０Ａでは、図１及び図２Ａに示すように、第１透明基体１４Ａの一主面に第１導電部１６Ａを形成し、第２透明基体１４Ｂの一主面に第２導電部１６Ｂを形成して、積層するようにしたが、その他、図２Ｂに示すように、第１透明基体１４Ａの一主面に第１導電部１６Ａを形成し、第１透明基体１４Ａの他主面に第２導電部１６Ｂを形成するようにしてもよい。この場合、第２透明基体１４Ｂが存在せず、第２導電部１６Ｂ上に、第１透明基体１４Ａが積層され、第１透明基体１４Ａ上に第１導電部１６Ａが積層された形態となる。また、第１導電シート１２Ａと第２導電シート１２Ｂとはその間に他の層が存在してもよく、第１導電部１６Ａと第２導電部１６Ｂとが絶縁状態であれば、それらが対向して配置されてもよい。
【００６５】
次に、第２の実施の形態に係る積層導電シート（以下、第２積層導電シート１０Ｂと記す）について、図９〜図１１を参照しながら説明する。
この第２積層導電シート１０Ｂは、上述した第１積層導電シート１０Ａとほぼ同様の構成を有するが、図９に示すように、第１導電シート１２Ａの第１接続部２８Ａに張り出し部（第１突出線５２Ａ）が存在せず、図１０に示すように、第２導電シート１２Ｂの第２接続部２８Ｂに張り出し部（第２突出線５２Ｂ）が存在しない点で異なる。
【００６６】
従って、第１導電シート１２Ａと第２導電シート１２Ｂを積層して第２積層導電シート１０Ｂとした場合、図１１に示すように、第１接続部２８Ａの第１交点Ｐ１に隣接する部分及び第３交点Ｐ３に隣接する部分にそれぞれ２つの小格子２６を配列させた分の第１空白領域２７Ａが形成され、第２接続部２８Ｂの第１交点Ｐ１に隣接する部分及び第３交点Ｐ３に隣接する部分にそれぞれ２つの小格子２６を配列させた分の第２空白領域２７Ｂが形成される。
この場合、規則的に第１空白領域２７Ａ及び第２空白領域２７Ｂが配置され、しかも、各空白領域の大きさは、２つの小格子２６が並んだ分の僅かな大きさであるため、ほとんど目立つことはないはないが、上述した第１積層導電シート１０Ａよりは視認性が劣ることになる。なお、第１積層導電シート１０Ａでは、第１接続部２８Ａに形成された張り出し部（第１突出線５２Ａ）によって第２空白領域２７Ｂをそれぞれ２つに分断し、第２接続部２８Ｂに形成された張り出し部（第２突出線５２Ｂ）によって第１空白領域２７Ａをそれぞれ２つに分断するかたちになるため、図８にも示すように、周りの第１大格子２４Ａを構成する小格子２６や第２大格子２４Ｂを構成する小格子２６と見分けがつかなくなり、視認性が向上する。
【００６７】
次に、第３の実施の形態に係る積層導電シート（以下、第３積層導電シート１０Ｃと記す）について、図１２〜図１４を参照しながら説明する。
この第３積層導電シート１０Ｃは、上述した第１積層導電シート１０Ａとほぼ同様の構成を有するが、張り出し部が接続部から外に向かって張り出している点で異なる。
すなわち、第１接続部２８Ａは、図１２に示すように、第１導線部４０ａの第３方向に沿った導線の第１交点Ｐ１と、第２導線部４０ｂの第３方向に沿った導線の第３交点Ｐ３とからそれぞれ直交して延びる金属細線による張り出し部（第１突出線５２Ａ）を有する。
同様に、第２接続部２８Ｂは、図１３に示すように、第５導線部４０ｅの第４方向に沿った導線の第１交点Ｐ１と、第６導線部４０ｆの第４方向に沿った導線の第３交点Ｐ３とからそれぞれ直交して延びる金属細線による張り出し部（第２突出線５２Ｂ）を有する。
【００６８】
従って、第１導電シート１２Ａと第２導電シート１２Ｂを積層して第３積層導電シート１０Ｃとした場合、図１４に示すように、第１接続部２８Ａに形成された張り出し部（第１突出線５２Ａ）によって第１空白領域２７Ａ（図１１参照）をそれぞれ２つに分断し、第２接続部２８Ｂに形成された張り出し部（第２突出線５２Ｂ）によって第２空白領域２７Ｂ（図１１参照）をそれぞれ２つに分断するかたちになるため、周りの第１大格子２４Ａを構成する小格子２６や第２大格子２４Ｂを構成する小格子２６と見分けがつかなくなり、視認性が向上する。
【００６９】
次に、第４の実施の形態に係る積層導電シート（以下、第４積層導電シート１０Ｄと記す）について、図１５〜図１８を参照しながら説明する。
この第４積層導電シート１０Ｄは、上述した第１積層導電シート１０Ａとほぼ同様の構成を有するが、以下の点で異なる。
すなわち、図１５及び図１６に示すように、第１接続部２８Ａの第３導線部４０ｃは、１つの頂角を有し、一方の第１大格子２４Ａａの第３接点３８と他方の第１大格子２４Ａｂの第３接点３８との間を結ぶＬ字状の導線部として形成され、第４導線部４０ｄは、１つの頂角を有し、他方の第１大格子２４Ａｂの第３接点３８と一方の第１大格子２４Ａａの第３接点３８との間を結ぶＬ字状の導線部として形成されている。さらに、第１大格子２４Ａの第３方向（ｍ方向）に沿った辺と第１導線部４０ａ及び第２導線部４０ｂとの間にそれぞれ小格子２６の一辺の長さ分だけ欠除された部分（第１欠除部８０Ａ）が形成されると共に、１つ分の第１補助線５６Ａも欠除された形態となっている。第１接点３４は存在しない。
同様に、図１７に示すように、第２接続部２８Ｂの第７導線部４０ｇは、１つの頂角を有し、一方の第２大格子２４Ｂａの第３接点３８と他方の第２大格子２４Ｂｂの第３接点３８との間を結ぶＬ字状の導線部として形成され、第８導線部４０ｈは、１つの頂角を有し、他方の第２大格子２４Ｂｂの第３接点３８と一方の第２大格子２４Ｂａの第３接点３８との間を結ぶＬ字状の導線部として形成されている。また、第２大格子２４Ｂの第４方向（ｎ方向）に沿った辺と第５導線部４０ｅ及び第６導線部４０ｆとの間にそれぞれ小格子２６の一辺の長さ分だけ欠除された部分（第２欠除部８０Ｂ）が形成されると共に、１つ分の第２補助線５６Ｂも欠除された形態となっている。この場合も第１接点３４は存在しない。
なお、図１７において参照符号の表記を省略するが、第７導線部４０ｇは、第１接続部２８Ａにおける第３導線部４０ｃと同様に、第９導線４４ｉ、第１０導線４４ｊ、第１３導線４４ｍ及び第１４導線４４ｎを有する。第８導線部４０ｈは、第１接続部２８Ａにおける第４導線部４０ｄと同様に、第１１導線４４ｋ、第１２導線４４ｌ、第１５導線４４ｏ及び第１６導線４４ｐを有する。
【００７０】
従って、この第４積層導電シート１０Ｄの第１接続部２８Ａにおいては、一方の第１大格子２４Ａａと第１接続部２８Ａとの複数の接点から第１接続部２８Ａ内への金属細線の数Ｎａが４、第１接続部２８Ａ内の複数の交点間の金属細線の数Ｎｂが４、他方の第１大格子２４Ａｂと第１接続部２８Ａとの複数の接点から第１接続部２８Ａ内への金属細線の数Ｎｃが４となるため、隣接する第１大格子２４Ａ間の接続経路の数Ｎは、Ｎ＝４×（４＋４−１）＝２８となり、第１積層導電シート１０Ａの第１導電シート１２Ａにおける第１接続部２８Ａの接続経路の数（＝１８）よりも１０だけ多くなっている。そのため、第１接続部２８Ａが完全に断線する蓋然性をさらに低くすることができ、信頼性の向上を高めることができる。これは、第２接続部２８Ｂにおいても同様である。
【００７１】
また、この第４積層導電シート１０Ｄにおいては、第１接続部２８Ａの第３導線部４０ｃを構成する第１３導線４４ｍと、第４導線部４０ｄを構成する第１５導線４４ｏが第３積層導電シート１０Ｃにおける第１接続部２８Ａの張り出し部（第１突出線５２Ａ）と同様の機能を果たし、同様に、第２接続部２８Ｂの第７導線部４０ｇを構成する第１３導線４４ｍと、第８導線部４０ｈを構成する第１５導線４４ｏが第３積層導電シート１０Ｃにおける第２接続部２８Ｂの張り出し部（第２突出線５２Ｂ）と同様の機能を果たすことになる。
【００７２】
すなわち、第１導電シート１２Ａと第２導電シート１２Ｂを積層して第４積層導電シート１０Ｄとした場合、図１８に示すように、第１接続部２８Ａに形成された第３導線部４０ｃの第１３導線４４ｍ及び第１４導線４４ｎと第４導線部４０ｄの第１５導線４４ｏ及び第１６導線４４ｐとによって第１空白領域２７Ａ（図１１参照）をそれぞれ２つに分断すると共に、第２欠除部８０Ｂ及び欠除された１つ分の第２補助線５６Ｂに相当する空白を補完するかたちになり、また、第２接続部２８Ｂに形成された第７導線部４０ｇの第１３導線４４ｍ及び第１４導線４４ｎと第８導線部４０ｈの第１５導線４４ｏ及び第１６導線４４ｐとによって第２空白領域２７Ｂ（図１１参照）をそれぞれ２つに分断すると共に、第１欠除部８０Ａ及び欠除された１つ分の第１補助線５６Ａに相当する空白を補完するかたちになるため、周りの第１大格子２４Ａを構成する小格子２６や第２大格子２４Ｂを構成する小格子２６と見分けがつかなくなり、視認性が向上する。
【００７３】
次に、第５の実施の形態に係る積層導電シート（以下、第５積層導電シート１０Ｅと記す）について、図１９〜図２１を参照しながら説明する。
この第５積層導電シート１０Ｅは、上述した第１積層導電シート１０Ａと比較して以下の点で異なる。
すなわち、図１９に示すように、本実施の形態に係る第１導電部１６Ａでは、第１導電パターン１８Ａを構成する第１大格子２４Ａの間隔が広くなると共に、第１絶縁部５４Ａの領域が広くなっている。
つまり、第１接続部２００Ａは、１つの頂角を有し、一方の第１大格子２４Ａａの第１接点３４と他方の第１大格子２４Ａｂの第２接点３６とを結ぶＬ字状の第１導線部２０２ａと、１つの頂角を有し、他方の第１大格子２４Ａｂの第１接点３４と一方の第１大格子２４Ａａの第２接点３６との間を結ぶＬ字状の第２導線部２０２ｂとを有し、これら第１導線部２０２ａと第２導線部２０２ｂとを含んで１つの長方形部２０４を形づくっている。なお、長方形部２０４は、上述した長方形部４２よりも一回り大きくなっている。
また、第１接続部２００Ａは、一方の第１大格子２４Ａａの第３接点３８から第１導線部２０２ａまで第４方向に延びる第３導線部２０２ｃと、他方の第１大格子２４Ａｂの第３接点３８から第２導線部２０２ｂまで第４方向に延びる第４導線部２０２ｄとを有する。
【００７４】
第１接続部２００Ａは、第１導線部２０２ａと第３導線部２０２ｃとの交点Ｐ１、第２導線部２０２ｂと第３導線部２０２ｃとの交点Ｐ２、第２導線部２０２ｂと第４導線部２０２ｄとの交点Ｐ３、第１導線部２０２ａと第４導線部２０２ｄとの交点Ｐ４を有する。
長方形部２０４は、長方形部４２と同様に、第１長方形部２０４ａ及び第２長方形部２０４ｂを有する。第１長方形部２０４ａの長辺は小格子２６の一辺の長さの５倍の長さを有し、短辺は小格子２６の一辺の長さの２倍の長さを有する。第２長方形部２０４ｂの長辺は小格子２６の一辺の長さの５倍の長さを有し、短辺は小格子２６の一辺の長さの３倍の長さを有する。
【００７５】
また、第１接続部２００Ａは、４つの張り出し部（突出線２０８Ａ）を有する。具体的には、突出線２０８Ａは、第１導線部２０２ａの第４方向に沿った導線のうち一方の第１大格子２４Ａａの第１接点３４から小格子２６の一辺の長さ分だけ離間した位置と、第１導線部２０２ａの第３方向に沿った導線のうち第４交点Ｐ４から第１交点Ｐ１側に小格子２６の一辺の長さ分だけ離間した位置と、第２導線部２０２ｂの第４方向に沿った導線のうち他方の第１大格子２４Ａｂの第１接点３４から小格子２６の一辺の長さ分だけ離間した位置と、第２導線部２０２ｂの第３方向に沿った導線のうち第２交点Ｐ２から第３交点Ｐ３側に小格子２６の一辺の長さ分だけ離間した位置とに接続されている。なお、突出線２０８Ａは、小格子２６の一辺の長さと同等の長さを有した直線状の金属細線を２本接続してＬ字状に形成されている。
なお、図１９から諒解されるように、第１大格子２４Ａの第１接点３４には突出線５２Ａが設けられている。
【００７６】
第１補助パターン２１２Ａは、第１接続部２００Ａを構成する第２長方形部２０４ｂ内に配置された平行な一対の補助線２１０と、第１大格子２４Ａの辺のうち、第３方向と直交する辺に沿って配列されたコ字状パターン（門型形状パターン）２１８Ａと、第１大格子２４Ａの辺のうち、第４方向と直交する辺に沿って配列されたコ字状パターン（門型形状パターン）２１８Ａと、第１絶縁部５４Ａに位置する四角環状パターン２２０とを有する。
一対の補助線２１０は、第４方向の位置を揃えた状態で第３方向に離間している。各コ字状パターン２１８Ａは、小格子２６の一辺と同一の長さを有した３つの直線状の金属細線によって構成されている。各コ字状パターン２１８Ａは、第１大格子２４Ａから所定距離（この例では、小格子２６の一辺の長さ）だけ離間した位置に形成されている。四角環状パターン２２０は、小格子２６と同一の形状及び大きさに構成されている。また、図１９から諒解されるように、第４方向において、四角環状パターン２２０とコ字状パターン２１８Ａとの間には、第３方向に延びた補助線２１４が設けられている。
【００７７】
また、図２０に示すように、本実施の形態に係る第２導電部１６Ｂでは、第２大格子２４Ｂが一回り大きく形成されている。つまり、第２大格子２４Ｂは、第１大格子２４Ａよりも一回り大きい略正方形状に形成されている。
１つの第２大格子２４Ｂと第２接続部２００Ｂとの接続点（接点）は、この例では４つ存在し、第１接点２２２、第２接点２２４、第３接点２２６及び第４接点２２８である。第１接点２２２は、第４方向に延びた直辺３０と多角辺３２との交点が対応する。第２接点２２４は、第２大格子２４Ｂに含まれる小格子２６の頂点のうち、多角辺３２に位置して第１接点２２２から小格子２６の一辺の長さの２倍の距離だけ離れた頂点が対応する。第３接点２２６は、第３方向に沿って延びた直辺３０と多角辺３２との交点が対応する。第４接点２２８は、第２大格子２４Ｂに含まれる小格子２６の頂点のうち、多角辺３２に位置して第３接点２２６に隣接する頂点が対応する。
第２大格子２４Ｂには、小格子２６の頂点のうち、多角辺３２における第１接点２２２及び第２接点２２４の間に位置する頂点から第４方向に延びた突出線２３０が設けられている。
【００７８】
第２接続部２００Ｂは、２つの頂角を有し、一方の第２大格子２４Ｂａの第１接点２２２と他方の第２大格子２４Ｂｂの第２接点２２４との間を結ぶ第５導線部２０２ｅと、２つの頂角を有し、他方の第２大格子２４Ｂｂの第１接点２２２と一方の第２大格子２４Ｂａの第２接点２２４との間を結ぶ第６導線部２０２ｆと、一方の第２大格子２４Ｂａの第３接点２２６から第５導線部２０２ｅまで第３方向に延びる第７導線部２０２ｇと、他方の第２大格子２４Ｂｂの第３接点２２６から第６導線部２０２ｆまで第３方向に延びる第８導線部２０２ｈと、一方の第２大格子２４Ｂａの第４接点２２８から第５導線部２０２ｅまで第３方向に延びる第９導線部２０２ｉと、他方の第２大格子２４Ｂｂの第４接点２２８から第６導線部２０２ｆまで第３方向に延びる第１０導線部２０２ｊとを有する。
また、第２接続部２００Ｂは、第５導線部２０２ｅと第７導線部２０２ｇとの交点Ｐ１と、第５導線部２０２ｅと第８導線部２０２ｈとの交点Ｐ２と、第５導線部２０２ｅと第１０導線部２０２ｊとの交点Ｐ３と、第６導線部２０２ｆと第９導線部２０２ｉとの交点Ｐ４と、第６導線部２０２ｆと第７導線部２０２ｇとの交点Ｐ５と、第６導線部２０２ｆと第８導線部２０２ｈとの交点Ｐ６とを有する。
【００７９】
従って、この第５積層導電シート１０Ｅの第２接続部２００Ｂにおいて、一方の第２大格子２４Ｂａと第２接続部２００Ｂとの複数の接点から第２接続部２００Ｂ内への金属細線の数Ｎａが４、第２接続部２００Ｂ内の複数の交点間の金属細線の数Ｎｂが８、他方の第２大格子２４Ｂｂと第２接続部２００Ｂとの複数の接点から第２接続部２８Ｂ内への金属細線の数Ｎｃが４となるため、隣接する第２大格子２４Ｂ間の接続経路の数Ｎは、Ｎ＝４×（８＋４−１）＝４４となり、第１積層導電シート１０Ａの第２導電部１６Ｂにおける第２接続部２８Ｂの接続経路の数（＝１８）よりも２６だけ多くなっている。そのため、第２接続部２００Ｂが完全に断線する蓋然性をさらに低くすることができ、信頼性の向上を高めることができる。
【００８０】
第２接続部２００Ｂは、４つの直線状の張り出し部（突出線２０８Ｂ）と、３つの頂角を有する一対の張り出し部（突出線２３２）とを有する。突出線２０８Ｂは、第５導線部２０２ｅの第３方向に沿った導線のうち第９導線部２０２ｉとの交点から第１交点Ｐ１側に小格子２６の一辺の長さ分だけ離間した位置と、第１交点Ｐ１と、第６導線部２０２ｆの第３方向に沿った導線のうち第１０導線部２０２ｊとの交点から第６交点Ｐ６側に小格子２６の一辺の長さ分だけ離間した位置と、第６交点Ｐ６とに接続されている。
突出線２３２は、第５導線部２０２ｅのうち他方の第２大格子２４Ｂｂ側の頂角（角部）と、第６導線部２０２ｆのうち一方の第２大格子２４Ｂａ側の頂角（角部）とに接続されている。
図２０から諒解されるように、突出線２３２は、第５導線部２０２ｅ（又は第６導線部２０２ｆ）から外側（第４方向）に延びた第１直線２３４と、第１直線２３４の先端から第２大格子２４Ｂ側に延びた第２直線２３６と、第２直線２３６の先端から外側に延びた第３直線２３８と、第３直線２３８の先端から第２大格子２４Ｂが位置する側とは反対側に延びた第４直線２４０とを含む。
【００８１】
第２補助パターン２１２Ｂは、第２大格子２４Ｂの辺のうち、第３方向と直交する辺に沿って配列されたコ字状パターン（門型形状パターン）２１８Ｂと、第２大格子２４Ｂの辺のうち、第４方向と直交する辺に沿って配列されたコ字状パターン（門型形状パターン）２１８Ｂと、隣接する第２導電パターン１８Ｂを構成する第２大格子２４Ｂと前記コ字状パターン２１８Ｂとの間に設けられた複合パターン２４２とを有する。
各コ字状パターン２１８Ｂは、小格子２６の一辺と同一の長さを有した３つの直線状の金属細線によって構成されている。各コ字状パターン２１８Ｂは、第２大格子２４Ｂから所定距離（この例では、小格子２６の一辺の長さ）だけ離間した位置に形成されている。複合パターン２４２は、四角環状パターン及びＬ字状パターンを接続してアラビア数字の９又は６の形態に形成されている。四角環状パターンは、小格子２６と同一の形状及び大きさに構成され、Ｌ字状パターンは、軸方向の長さが小格子２６の一辺と同一の長さを有した２つの直線状の金属細線によって構成されている。
【００８２】
従って、第１導電シート１２Ａと第２導電シート１２Ｂを積層して第５積層導電シート１０Ｅとした場合、第１導電部１６Ａに対して、突出線５２Ａ、突出線２０８Ａ及び第１補助パターン２１２Ａを設けると共に、第２導電部１６Ｂに対して、突出線２３０、突出線２０８Ｂ、突出線２３２及び第２補助パターン２１２Ｂを設けているので、第１大格子２４Ａを構成する小格子２６や第２大格子２４Ｂを構成する小格子２６と見分けがつかなくなり、視認性が向上する（図２１参照）。
【００８３】
本実施の形態では、第２大格子２４Ｂを第１大格子２４Ａよりも大きく形成しているが、第２大格子２４Ｂを第１大格子２４Ａよりも小さく形成してもよい。このように、第１大格子２４Ａと第２大格子２４Ｂの大きさを異ならせることができるので、第１導電シート１２Ａと第２導電シート１２Ｂの組み合わせのバリエーションを増加させることができる。
【００８４】
次に、第６の実施の形態に係る積層導電シート（以下、第６積層導電シート１０Ｆと記す）について、図２２〜図２４を参照しながら説明する。
この第６積層導電シート１０Ｆは、上述した第５積層導電シート１０Ｅに対して以下の点で異なる。
すなわち、図２２に示すように、本実施の形態に係る第１導電部１６Ａでは、第１接続部２５０Ａの構成が異なる。第１接続部２５０Ａは、第１導線部２０２ａと同一形状の第１導線部２５２ａと、第２導線部２０２ｂと同一形状の第２導線部２５２ｂとを有し、これら第１導線部２５２ａと第２導線部２５２ｂとを含んで１つの長方形部２５４を形づくっている。
また、第１接続部２５０Ａは、一方の第１大格子２４Ａａの第３接点３８から第２導線部２５２ｂまで第４方向に延びる第３導線部２５２ｃと、他方の第１大格子２４Ａｂの第３接点３８から第１導線部２５２ａまで第４方向に延びる第４導線部２５２ｄと、第１導線部２５２ａの第３方向に沿った導線と第２導線部２５２ｂの第３方向に沿った導線とを結ぶ第５導線部２５２ｅ及び第６導線部２５２ｆとを有する。
【００８５】
第１接続部２５０Ａは、第１導線部２５２ａと第５導線部２５２ｅとの交点Ｐ１、第２導線部２５２ｂと第５導線部２５２ｅとの交点Ｐ２、第２導線部２５２ｂと第６導線部２５２ｆとの交点Ｐ３、第１導線部２５２ａと第６導線部２５２ｆとの交点Ｐ４を有する。
長方形部２５４は、長方形部２０４と同様に、第１長方形部２５４ａ及び第２長方形部２５４ｂを有する。第１長方形部２５４ａの長辺は小格子２６の一辺の長さの５倍の長さを有し、短辺は小格子２６の一辺の長さの３倍の長さを有する。第２長方形部２５４ｂの長辺は小格子２６の一辺の長さの５倍の長さを有し、短辺は小格子２６の一辺の長さと同一の長さを有する。そのため、本実施の形態に係る第１接続部２５０Ａでは、Ｌａ＞Ｌｂを満足する。この例では、Ｌａ＝３×Ｌｂである。
【００８６】
また、第１接続部２５０Ａには、４つの張り出し部（突出線２５６）が設けられている。具体的には、突出線２５６は、第５導線部２５２ｅのうち第１交点Ｐ１から小格子２６の一辺の長さの２倍の長さ分だけ離間した位置と、第５導線部２５２ｅのうち第２交点Ｐ２から小格子２６の一辺の長さの２倍の長さ分だけ離間した位置と、第６導線部２５２ｆのうち第３交点Ｐ３から小格子２６の一辺の長さの２倍の長さ分だけ離間した位置と、第６導線部２５２ｆのうち第４交点Ｐ４から小格子２６の一辺の長さの２倍の長さ分だけ離間した位置とに接続されている。突出線２５６は、小格子２６の一辺の長さの２倍の長さを有した直線状の金属細線により構成されている。
なお、図２２から諒解されるように、第１大格子２４Ａの第１接点３４には突出線５２Ａが設けられている。
【００８７】
第１補助パターン２５８Ａは、第１大格子２４Ａの辺のうち、第３方向と直交する辺に沿って配列された複数の補助長線２６０と、これら補助長線２６０の間に設けられた補助短線２６２と、第１大格子２４Ａの第３方向に沿って延びた直辺３０に対向配置された複合パターン２６４とを有する。
各補助長線２６０の軸方向の長さは、小格子２６の一辺の長さの２倍の長さを有する。各補助長線２６０は、第１大格子２４Ａから所定距離（この例では、小格子２６の一辺の長さ）だけ離間した位置に形成されている。各補助短線２６２の軸方向の長さは、小格子２６の一辺の長さと同一である。各補助短線２６２は、第１大格子２４Ａから所定距離（この例では、小格子２６の一辺の長さの２倍の長さ）だけ離間した位置に形成されている。
なお、図２２から諒解されるように、第１接続部２５０Ａに最も近い補助長線２６０における第１大格子２４Ａ側の端部には、第４方向に沿って延びた補助線２６６が接続されている。つまり補助長線２６０及び補助線２６６が組み合わされてＬ字状パターンを構成している。
複合パターン２６４は、第１大格子２４Ａの辺のうち、第４方向と直交する辺に沿って配列された複数（図２２では５つ）の補助線２６８と、これら補助線２６８の第１大格子２４Ａ側の端部を連結する長尺な補助線２７０と、補助線２７０の第１絶縁部５４Ａ側の端部に接続されて第４方向に沿って延びた補助線２７２と、補助線２７２から第３方向に沿って延びた一対の補助線２７４ａ、２７４ｂとを有する。
補助線２６８及び補助線２７４ａ、２７４ｂの軸方向の長さは、小格子２６の一辺の長さと同一である。各補助線２６８は、第１大格子２４Ａから所定距離（この例では、小格子２６の一辺の長さ）だけ離間した位置に形成されている。つまり、複合パターン２６４は、第１大格子２４Ａから離間している。
図２２から諒解されるように、補助線２７４ａは、補助線２６８の１つに接続して四角環状パターンを形成しており、補助線２７４ｂは、補助線２７２における第１大格子２４Ａが位置する側とは反対側の端部に接続している。
【００８８】
また、図２３に示すように、本実施の形態に係る第２導電部１６Ｂでは、第２大格子２４Ｂが略長方形状に形成されている。つまり、第２大格子２４Ｂは、第１大格子２４Ａに対して大きさ及び形状が異なっている。なお、この例では、第２大格子２４Ｂの長辺は第４方向に沿って延在している。
１つの第２大格子２４Ｂと第２接続部２５０Ｂとの接続点（接点）は、第１接点２２２、第２接点３００、第３接点２２６及び第４接点２２８である。第２接点３００は、第２大格子２４Ｂに含まれる小格子２６の頂点のうち、多角辺３２に位置して第１接点２２２から小格子２６の一辺の長さだけ離間した頂点が対応する。なお、図２０に示す突出線２３０は省略されている。
【００８９】
第２接続部２５０Ｂは、第５導線２０２ｅと同一形状の第７導線部２５２ｇと、第６導線部２０２ｆと同一構成の第８導線部２５２ｈと、一方の第２大格子２４Ｂａの第３接点２２６から第８導線部２５２ｈまで第３方向に延びる第９導線部２５２ｉと、他方の第２大格子２４Ｂｂの第３接点２２６から第７導線部２５２ｇまで第３方向に延びる第１０導線部２５２ｊと、１つの頂角を有し、第７導線部２５２ｇに接すると共に一方の第２大格子２４Ｂａの第４接点２２８と第８導線部２５２ｈとを結ぶ第１１導線部２５２ｋと、１つの頂角を有し、第８導線部２５２ｈに接すると共に他方の第２大格子２４Ｂｂの第４接点２２８と第７導線部２５２ｇとを結ぶ第１２導線部２５２ｌとを有する。
また、第２接続部２５０Ｂは、第７導線部２５２ｇの第３方向に沿った導線と第１２導線部２５２ｌの第４方向に沿った導線との交点Ｐ１、第７導線部２５２ｇと第１１導線部２５２ｋとの交点Ｐ２、第８導線部２５２ｈの第４方向に沿った導線と第１１導線部２５２ｋの第３方向に沿った導線との交点Ｐ３、第７導線部２５２ｇの第４方向に沿った導線と第１２導線部２５２ｌの第３方向に沿った導線との交点Ｐ４、第８導線部２５２ｈと第１２導線部２５２ｌとの交点Ｐ５、第８導線部２５２ｈの第３方向に沿った導線と第１１導線部２５２ｋの第４方向に沿った導線との交点Ｐ６を有する。
【００９０】
これにより、第７導線部２５２ｇのうち第２交点Ｐ２及び第４交点Ｐ４間の導線、第８導線部２５２ｈのうち第３交点Ｐ３及び第５交点Ｐ５間の導線、第１１導線部２５２ｋのうち第２交点Ｐ２及び第３交点Ｐ３間の導線、及び第１２導線部２５２ｌのうち第４交点Ｐ４及び第５交点Ｐ５間の導線によって長方形部３０２が形成される。
長方形部３０２の長辺は第３方向に沿って延在している。長方形部３０２は、一方の第２大格子２４Ｂａ側の小さい長方形部３０２ａ（第２交点Ｐ２、第３交点Ｐ３及び第６交点Ｐ６を有する）と、第１交点Ｐ１、第２交点Ｐ２、第５交点Ｐ５及び第６交点Ｐ６を有する正方形部３０２ｂと、他方の第２大格子２４Ｂｂ側の小さい長方形部３０２ａ（第１交点Ｐ１、第４交点Ｐ４及び第５交点Ｐ５を有する）とを含む。
長方形部３０２ａの長辺は小格子２６の一辺の長さの４倍の長さを有し、短辺は小格子２６の一辺の長さと同一の長さを有する。正方形部３０２ｂの一辺は小格子２６の一辺の長さの３倍の長さを有する。そのため、本実施の形態に係る第２接続部２５０Ｂは、Ｌａ＞Ｌｂを満足する。この例では、Ｌａ＝３×Ｌｂである。
【００９１】
また、第２接続部２５０Ｂは、一対の直線状の張り出し部（突出線３０４）と、１つの頂角を有する一対の張り出し部（突出線３０６）と、２つの頂角を有する一対の張り出し部（突出線３０８）とを有する。突出線３０４は、第１交点Ｐ１及び第６交点Ｐ６に接続されている。
一対の突出線３０６は、第７導線部２５２ｇのうち第４交点Ｐ４から小格子２６の一辺の長さの２倍の長さ分だけ第１交点Ｐ１側に移動した位置と、第８導線部２５２ｈのうち第３交点Ｐ３から小格子２６の一辺の長さの２倍の長さ分だけ第６交点Ｐ６側に移動した位置とに接続されている。各突出線３０６は、Ｌ字状に形成されている。
一対の突出線３０８は、第７導線部２５２ｇのうち他方の第２大格子２４Ｂｂ側の頂角（角部）と、第８導線部２５２ｈのうち一方の第２大格子２４Ｂａ側の頂角（角部）とに接続されている。各突出線３０８は、第７導線部２５２ｇ（又は第８導線部２５２ｈ）から外側（第４方向）に延びた第１直線３１０と、第１直線３１０の先端から第２大格子２４Ｂ側に延びた第２直線３１２と、第２直線３１２の先端から内側に延びた第３直線３１４とを含む。
【００９２】
第２補助パターン２５８Ｂは、第２接続部２５０Ｂを構成する正方形部３０２ｂ内に配置された平行な一対の補助線３１５と、第２大格子２４Ｂの辺のうち、第４方向に直交する辺に沿って配列された複数の補助線３１６と、第２大格子２４Ｂの第４方向に沿って延びた直辺３０に対向配置された複合パターン３１８と、第２絶縁部５４Ｂに配置された平行な一対の補助線３２０とを有する。
一対の補助線３１５は、第３方向の位置を揃えた状態で第４方向に離間している。なお、一対の補助線３２０も同様である。各補助線３１５、３１６、３２０の軸方向の長さは、小格子２６の一辺の長さと同一の長さを有する。各補助線３１６は、第２大格子２４Ｂから所定距離（この例では、小格子２６の一辺の長さ）だけ離間した位置に形成されている。
複合パターン３１８は、第２大格子２４Ｂの辺のうち、第３方向と直交する辺に沿って交互に配置された補助長線３２２及び補助短線３２４と、補助長線３２２の第２大格子２４Ｂ側の端部を連結して第４方向に延びた長尺な補助線３２６と、補助短線３２４の第２大格子２４Ｂ側の端部を連結して第４方向に延びた長尺な補助線３２８と、補助線３２８の第２絶縁部５４Ｂ側の端部同士を連結して第３方向に延びた補助線３３０と、補助線３３０のうち第２大格子２４Ｂが位置する側とは反対側の端部から外側に延びた補助線３３２とを有する。
各補助長線３２２の軸方向の長さは、小格子２６の一辺の長さの２倍の長さである。各補助長線３２２は、第２大格子２４Ｂから所定距離（この例では、小格子２６の一辺の長さ）だけ離間した位置に形成されている。各補助短線３２４の軸方向の長さは、小格子２６の一辺の長さと同一である。各補助短線３２４は、第２大格子２４Ｂから所定距離（この例では、小格子２６の一辺の長さの２倍の長さ）だけ離間した位置に形成されている。つまり、複合パターン３１８は、第２大格子２４Ｂから離間している。
【００９３】
従って、第１導電シート１２Ａと第２導電シート１２Ｂを積層して第６積層導電シート１０Ｆとした場合、第１導電部１６Ａに対して、突出線５２Ａ、突出線２５６及び第１補助パターン２５８Ａを設けると共に、第２導電部１６Ｂに対して、突出線３０４、突出線３０６、突出線３１２及び第２補助パターン２５８Ｂを設けているので、第１大格子２４Ａを構成する小格子２６や第２大格子２４Ｂを構成する小格子２６と見分けがつかなくなり、視認性が向上する（図２４参照）。
【００９４】
本実施の形態では、第１大格子２４Ａを略正方形状に形成すると共に第２大格子２４Ｂを略長方形状に形成しているが、第１大格子２４Ａを略長方形状に形成すると共に第２大格子２４Ｂを略正方形状に形成してもよい。このように、第１大格子２４Ａと第２大格子２４Ｂの形状を異ならせることができるので、第１導電シート１２Ａと第２導電シート１２Ｂの組み合わせのバリエーションを増加させることができる。
上述の例では、第１導電シート１２Ａ及び第２導電シート１２Ｂを投影型静電容量方式のタッチパネル１００に適用した例を示したが、その他、表面型静電容量方式のタッチパネルや、抵抗膜式のタッチパネルにも適用することができることはもちろんである。
【００９５】
次に、第１導電パターン１８Ａや第２導電パターン１８Ｂを形成する方法としては、例えば第１透明基体１４Ａ上及び第２透明基体１４Ｂ上に感光性ハロゲン化銀塩を含有する乳剤層を有する感光材料を露光し、現像処理を施すことによって、露光部及び未露光部にそれぞれ金属銀部及び光透過性部を形成して第１導電パターン１８Ａ及び第２導電パターン１８Ｂを形成するようにしてもよい。なお、さらに金属銀部に物理現像及び／又はめっき処理を施すことによって金属銀部に導電性金属を担持させるようにしてもよい。
【００９６】
一方、図２Ｂに示すように、第１透明基体１４Ａの一主面に第１導電パターン１８Ａを形成し、第１透明基体１４Ａの他主面に第２導電パターン１８Ｂを形成する場合、通常の製法に則って、最初に一主面を露光し、その後に、他主面を露光する方法を採用すると、所望の第１導電パターン１８Ａ及び第２導電パターン１８Ｂを得ることができない場合がある。特に、第１大格子２４Ａの直辺３０に沿って多数の第１補助線５６Ａが配列されたパターン、第１絶縁部５４Ａに配置された第１Ｌ字状パターン５８Ａ、第２大格子２４Ｂの直辺３０に沿って多数の第２補助線５６Ｂが配列されたパターン、並びに第２絶縁部５４Ｂに配置された第２Ｌ字状パターン５８Ｂ等を均一に形成することは困難性が伴う。
【００９７】
そこで、以下に示す製造方法を好ましく採用することができる。
すなわち、第１透明基体１４Ａの両面に形成された感光性ハロゲン化銀乳剤層に対して一括露光を行って、第１透明基体１４Ａの一主面に第１導電パターン１８Ａを形成し、第１透明基体１４Ａの他主面に第２導電パターン１８Ｂを形成する。
【００９８】
この製造方法の具体例を、図２５〜図２７を参照しながら説明する。
先ず、図２５のステップＳ１において、長尺の感光材料１４０を作製する。感光材料１４０は、図２６Ａに示すように、第１透明基体１４Ａと、該第１透明基体１４Ａの一方の主面に形成された感光性ハロゲン化銀乳剤層（以下、第１感光層１４２ａという）と、第１透明基体１４Ａの他方の主面に形成された感光性ハロゲン化銀乳剤層（以下、第２感光層１４２ｂという）とを有する。
【００９９】
図２５のステップＳ２において、感光材料１４０を露光する。この露光処理では、第１感光層１４２ａに対し、第１透明基体１４Ａに向かって光を照射して第１感光層１４２ａを第１露光パターンに沿って露光する第１露光処理と、第２感光層１４２ｂに対し、第１透明基体１４Ａに向かって光を照射して第２感光層１４２ｂを第２露光パターンに沿って露光する第２露光処理とが行われる（両面同時露光）。図２６Ｂの例では、長尺の感光材料１４０を一方向に搬送しながら、第１感光層１４２ａに第１光１４４ａ（平行光）を第１フォトマスク１４６ａを介して照射すると共に、第２感光層１４２ｂに第２光１４４ｂ（平行光）を第２フォトマスク１４６ｂを介して照射する。第１光１４４ａは、第１光源１４８ａから出射された光を途中の第１コリメータレンズ１５０ａにて平行光に変換されることにより得られ、第２光１４４ｂは、第２光源１４８ｂから出射された光を途中の第２コリメータレンズ１５０ｂにて平行光に変換されることにより得られる。図２６Ｂの例では、２つの光源（第１光源１４８ａ及び第２光源１４８ｂ）を使用した場合を示しているが、１つの光源から出射した光を光学系を介して分割して、第１光１４４ａ及び第２光１４４ｂとして第１感光層１４２ａ及び第２感光層１４２ｂに照射してもよい。
【０１００】
そして、図２５のステップＳ３において、露光後の感光材料１４０を現像処理することで、図２Ｂに示すように、第１積層導電シート１０Ａが作製される。第１積層導電シート１０Ａは、第１透明基体１４Ａと、該第１透明基体１４Ａの一方の主面に形成された第１露光パターンに沿った第１導電部１６Ａ（第１導電パターン１８Ａ等）と、第１透明基体１４Ａの他方の主面に形成された第２露光パターンに沿った第２導電部１６Ｂ（第２導電パターン１８Ｂ等）とを有する。なお、第１感光層１４２ａ及び第２感光層１４２ｂの露光時間及び現像時間は、第１光源１４８ａ及び第２光源１４８ｂの種類や現像液の種類等で様々に変化するため、好ましい数値範囲は一概に決定することができないが、現像率が１００％となる露光時間及び現像時間に調整されている。
【０１０１】
そして、本実施の形態に係る製造方法のうち、第１露光処理は、図２７に示すように、第１感光層１４２ａ上に第１フォトマスク１４６ａを例えば密着配置し、該第１フォトマスク１４６ａに対向して配置された第１光源１４８ａから第１フォトマスク１４６ａに向かって第１光１４４ａを照射することで、第１感光層１４２ａを露光する。第１フォトマスク１４６ａは、透明なソーダガラスで形成されたガラス基板と、該ガラス基板上に形成されたマスクパターン（第１露光パターン１５２ａ）とで構成されている。従って、この第１露光処理によって、第１感光層１４２ａのうち、第１フォトマスク１４６ａに形成された第１露光パターン１５２ａに沿った部分が露光される。第１感光層１４２ａと第１フォトマスク１４６ａとの間に２〜１０μｍ程度の隙間を設けてもよい。
【０１０２】
同様に、第２露光処理は、第２感光層１４２ｂ上に第２フォトマスク１４６ｂを例えば密着配置し、該第２フォトマスク１４６ｂに対向して配置された第２光源１４８ｂから第２フォトマスク１４６ｂに向かって第２光１４４ｂを照射することで、第２感光層１４２ｂを露光する。第２フォトマスク１４６ｂは、第１フォトマスク１４６ａと同様に、透明なソーダガラスで形成されたガラス基板と、該ガラス基板上に形成されたマスクパターン（第２露光パターン１５２ｂ）とで構成されている。従って、この第２露光処理によって、第２感光層１４２ｂのうち、第２フォトマスク１４６ｂに形成された第２露光パターン１５２ｂに沿った部分が露光される。この場合、第２感光層１４２ｂと第２フォトマスク１４６ｂとの間に２〜１０μｍ程度の隙間を設けてもよい。
【０１０３】
第１露光処理及び第２露光処理は、第１光源１４８ａからの第１光１４４ａの出射タイミングと、第２光源１４８ｂからの第２光１４４ｂの出射タイミングを同時にしてもよいし、異ならせてもよい。同時であれば、１度の露光処理で、第１感光層１４２ａ及び第２感光層１４２ｂを同時に露光することができ、処理時間の短縮化を図ることができる。
【０１０４】
ところで、第１感光層１４２ａ及び第２感光層１４２ｂが共に分光増感されていない場合、感光材料１４０に対して両側から露光すると、片側からの露光がもう片側（裏側）の画像形成に影響を及ぼすこととなる。
【０１０５】
すなわち、第１感光層１４２ａに到達した第１光源１４８ａからの第１光１４４ａは、第１感光層１４２ａ中のハロゲン化銀粒子にて散乱し、散乱光として第１透明基体１４Ａを透過し、その一部が第２感光層１４２ｂにまで達する。そうすると、第２感光層１４２ｂと第１透明基体１４Ａとの境界部分が広い範囲にわたって露光され、潜像が形成される。そのため、第２感光層１４２ｂでは、第２光源１４８ｂからの第２光１４４ｂによる露光と第１光源１４８ａからの第１光１４４ａによる露光が行われてしまい、その後の現像処理にて第１積層導電シート１０Ａとした場合に、第２露光パターン１５２ｂによる導電パターン（第２導電部１６Ｂ）に加えて、該導電パターン間に第１光源１４８ａからの第１光１４４ａによる薄い導電層が形成されてしまい、所望のパターン（第２露光パターン１５２ｂに沿ったパターン）を得ることができない。これは、第１感光層１４２ａにおいても同様である。
これを回避するため、鋭意検討した結果、第１感光層１４２ａ及び第２感光層１４２ｂの厚みを特定の範囲に設定したり、第１感光層１４２ａ及び第２感光層１４２ｂの塗布銀量を規定することで、ハロゲン化銀自身が光を吸収し、裏面へ光透過を制限できることが判明した。本実施の形態では、第１感光層１４２ａ及び第２感光層１４２ｂの厚みを１μｍ以上、４μｍ以下に設定することができる。上限値は好ましくは２．５μｍである。また、第１感光層１４２ａ及び第２感光層１４２ｂの塗布銀量を５〜２０ｇ／ｍ2に規定した。
【０１０６】
上述した両面密着の露光方式では、フイルム表面に付着した塵埃等で露光阻害による画像欠陥が問題となる。塵埃付着防止として、フイルムに導電性物質を塗布することが知られているが、金属酸化物等は処理後も残存し、最終製品の透明性を損ない、また、導電性高分子は保存性等に問題がある。そこで、鋭意検討した結果、バインダーを減量したハロゲン化銀により帯電防止に必要な導電性が得られることがわかり、第１感光層１４２ａ及び第２感光層１４２ｂの銀／バインダーの体積比を規定した。すなわち、第１感光層１４２ａ及び第２感光層１４２ｂの銀／バインダー体積比は１／１以上であり、好ましくは、２／１以上である。
【０１０７】
上述のように、第１感光層１４２ａ及び第２感光層１４２ｂの厚み、塗布銀量、銀／バインダーの体積比を設定、規定することで、図２７に示すように、第１感光層１４２ａに到達した第１光源１４８ａからの第１光１４４ａは、第２感光層１４２ｂまで達しなくなり、同様に、第２感光層１４２ｂに到達した第２光源１４８ｂからの第２光１４４ｂは、第１感光層１４２ａまで達しなくなり、その結果、その後の現像処理にて第１積層導電シート１０Ａとした場合に、図２Ｂに示すように、第１透明基体１４Ａの一方の主面には第１露光パターン１５２ａによる導電パターン（第１導電部１６Ａを構成するパターン）のみが形成され、第１透明基体１４Ａの他方の主面には第２露光パターン１５２ｂによる導電パターン（第２導電部１６Ｂを構成するパターン）のみが形成されることとなり、所望のパターンを得ることができる。
【０１０８】
このように、上述の両面一括露光を用いた製造方法においては、導電性と両面露光の適性を両立させた第１感光層１４２ａ及び第２感光層１４２ｂを得ることができ、また、１つの第１透明基体１４Ａへの露光処理によって、第１透明基体１４Ａの両面に同一パターンや異なったパターンを任意に形成することができ、これにより、タッチパネル１００の電極を容易に形成することができると共に、タッチパネル１００の薄型化（低背化）を図ることができる。
上述の例は、感光性ハロゲン化銀乳剤層を用いて第１導電パターン１８Ａ及び第２導電パターン１８Ｂを形成する製造方法であるが、その他の製造方法としては、以下のような製造方法がある。
【０１０９】
すなわち、第１透明基体１４Ａ及び第２透明基体１４Ｂ上に形成された銅箔上のフォトレジスト膜を露光、現像処理してレジストパターンを形成し、レジストパターンから露出する銅箔をエッチングすることによって、第１導電部１６Ａ及び第２導電部１６Ｂを形成するようにしてもよい。
【０１１０】
あるいは、第１透明基体１４Ａ及び第２透明基体１４Ｂ上に金属微粒子を含むペーストを印刷し、ペーストに金属めっきを行うことによって、第１導電部１６Ａ及び第２導電部１６Ｂを形成するようにしてもよい。
第１透明基体１４Ａ及び第２透明基体１４Ｂ上に、第１導電部１６Ａ及び第２導電部１６Ｂをスクリーン印刷版又はグラビア印刷版によって印刷形成するようにしてもよい。
第１透明基体１４Ａ及び第２透明基体１４Ｂ上に、第１導電パターン１８Ａ及び第２導電パターン１８Ｂをインクジェットにより形成するようにしてもよい。
【０１１１】
次に、本実施の形態に係る第１導電シート１２Ａ及び第２導電シート１２Ｂにおいて、特に好ましい態様であるハロゲン化銀写真感光材料を用いる方法を中心にして述べる。
本実施の形態に係る第１導電シート１２Ａ及び第２導電シート１２Ｂの製造方法は、感光材料と現像処理の形態によって、次の３通りの形態が含まれる。
（１）  物理現像核を含まない感光性ハロゲン化銀黒白感光材料を化学現像又は熱現像して金属銀部を該感光材料上に形成させる態様。
（２）  物理現像核をハロゲン化銀乳剤層中に含む感光性ハロゲン化銀黒白感光材料を溶解物理現像して金属銀部を該感光材料上に形成させる態様。
（３）  物理現像核を含まない感光性ハロゲン化銀黒白感光材料と、物理現像核を含む非感光性層を有する受像シートを重ね合わせて拡散転写現像して金属銀部を非感光性受像シート上に形成させる態様。
【０１１２】
上記（１）の態様は、一体型黒白現像タイプであり、感光材料上に光透過性導電性膜等の透光性導電性膜が形成される。得られる現像銀は化学現像銀又は熱現像銀であり、高比表面のフィラメントである点で後続するめっき又は物理現像過程で活性が高い。
上記（２）の態様は、露光部では、物理現像核近縁のハロゲン化銀粒子が溶解されて現像核上に沈積することによって感光材料上に光透過性導電性膜等の透光性導電性膜が形成される。これも一体型黒白現像タイプである。現像作用が、物理現像核上への析出であるので高活性であるが、現像銀は比表面の小さい球形である。
上記（３）の態様は、未露光部においてハロゲン化銀粒子が溶解されて拡散して受像シート上の現像核上に沈積することによって受像シート上に光透過性導電性膜等の透光性導電性膜が形成される。いわゆるセパレートタイプであって、受像シートを感光材料から剥離して用いる態様である。
いずれの態様もネガ型現像処理及び反転現像処理のいずれの現像を選択することもできる（拡散転写方式の場合は、感光材料としてオートポジ型感光材料を用いることによってネガ型現像処理が可能となる）。
【０１１３】
ここでいう化学現像、熱現像、溶解物理現像、拡散転写現像は、当業界で通常用いられている用語どおりの意味であり、写真化学の一般教科書、例えば菊地真一著「写真化学」（共立出版社、１９５５年刊行）、Ｃ．Ｅ．Ｋ．Ｍｅｅｓ編「Ｔｈｅ  Ｔｈｅｏｒｙ  ｏｆ  Ｐｈｏｔｏｇｒａｐｈｉｃ  Ｐｒｏｃｅｓｓｅｓ，  ４ｔｈ  ｅｄ．」（Ｍｃｍｉｌｌａｎ社、１９７７年刊行）に解説されている。本件は液処理に係る発明であるが、その他の現像方式として熱現像方式を適用する技術も参考にすることができる。例えば、特開２００４−１８４６９３号、同２００４−３３４０７７号、同２００５−０１０７５２号の各公報、特願２００４−２４４０８０号、同２００４−０８５６５５号の各明細書に記載された技術を適用することができる。
【０１１４】
ここで、本実施の形態に係る第１導電シート１２Ａ及び第２導電シート１２Ｂの各層の構成について、以下に詳細に説明する。
［第１透明基体１４Ａ、第２透明基体１４Ｂ］
第１透明基体１４Ａ及び第２透明基体１４Ｂとしては、プラスチックフイルム、プラスチック板、ガラス板等を挙げることができる。
上記プラスチックフイルム及びプラスチック板の原料としては、例えば、ポリエチレンテレフタレート（ＰＥＴ）、ポリエチレンナフタレート（ＰＥＮ）等のポリエステル類；ポリエチレン（ＰＥ）、ポリプロピレン（ＰＰ）、ポリスチレン、ＥＶＡ等のポリオレフィン類；ビニル系樹脂；その他、ポリカーボネート（ＰＣ）、ポリアミド、ポリイミド、アクリル樹脂、トリアセチルセルロース（ＴＡＣ）等を用いることができる。
第１透明基体１４Ａ及び第２透明基体１４Ｂとしては、ＰＥＴ（融点：２５８℃）、ＰＥＮ（融点：２６９℃）、ＰＥ（融点：１３５℃）、ＰＰ（融点：１６３℃）、ポリスチレン（融点：２３０℃）、ポリ塩化ビニル（融点：１８０℃）、ポリ塩化ビニリデン（融点：２１２℃）やＴＡＣ（融点：２９０℃）等の融点が約２９０℃以下であるプラスチックフイルム、又はプラスチック板が好ましく、特に、光透過性や加工性等の観点から、ＰＥＴが好ましい。積層導電シート１０に使用される第１導電シート１２Ａ及び第２導電シート１２Ｂのような導電性フイルムは透明性が要求されるため、第１透明基体１４Ａ及び第２透明基体１４Ｂの透明度は高いことが好ましい。
【０１１５】
［銀塩乳剤層］
第１導電シート１２Ａの第１導電部１６Ａ（第１大格子２４Ａ、第１接続部２８Ａ、第１補助パターン２０Ａ等）及び第２導電シート１２Ｂの第２導電部１６Ｂ（第２大格子２４Ｂ、第２接続部２８Ｂ、第２補助パターン２０Ｂ等）となる銀塩乳剤層は、銀塩とバインダーの他、溶媒や染料等の添加剤を含有する。
本実施の形態に用いられる銀塩としては、ハロゲン化銀等の無機銀塩及び酢酸銀等の有機銀塩が挙げられる。本実施の形態においては、光センサーとしての特性に優れるハロゲン化銀を用いることが好ましい。
銀塩乳剤層の塗布銀量（銀塩の塗布量）は、銀に換算して１〜３０ｇ／ｍ2が好ましく、１〜２５ｇ／ｍ2がより好ましく、５〜２０ｇ／ｍ2がさらに好ましい。この塗布銀量を上記範囲とすることで、積層導電シート１０とした場合に所望の表面抵抗を得ることができる。
本実施の形態に用いられるバインダーとしては、例えば、ゼラチン、ポリビニルアルコール（ＰＶＡ）、ポリビニルピロリドン（ＰＶＰ）、澱粉等の多糖類、セルロース及びその誘導体、ポリエチレンオキサイド、ポリビニルアミン、キトサン、ポリリジン、ポリアクリル酸、ポリアルギン酸、ポリヒアルロン酸、カルボキシセルロース等が挙げられる。これらは、官能基のイオン性によって中性、陰イオン性、陽イオン性の性質を有する。
本実施の形態の銀塩乳剤層中に含有されるバインダーの含有量は、特に限定されず、分散性と密着性を発揮し得る範囲で適宜決定することができる。銀塩乳剤層中のバインダーの含有量は、銀／バインダー体積比で１／４以上が好ましく、１／２以上がより好ましい。銀／バインダー体積比は、１００／１以下が好ましく、５０／１以下がより好ましい。また、銀／バインダー体積比は１／１〜４／１であることがさらに好ましい。１／１〜３／１であることが最も好ましい。銀塩乳剤層中の銀／バインダー体積比をこの範囲にすることで、塗布銀量を調整した場合でも抵抗値のばらつきを抑制し、均一な表面抵抗を有する積層導電シートを得ることができる。なお、銀／バインダー体積比は、原料のハロゲン化銀量／バインダー量（重量比）を銀量／バインダー量（重量比）に変換し、さらに、銀量／バインダー量（重量比）を銀量／バインダー量（体積比）に変換することで求めることができる。
【０１１６】
＜溶媒＞
銀塩乳剤層の形成に用いられる溶媒は、特に限定されるものではないが、例えば、水、有機溶媒（例えば、メタノール等のアルコール類、アセトン等のケトン類、ホルムアミド等のアミド類、ジメチルスルホキシド等のスルホキシド類、酢酸エチル等のエステル類、エーテル類等）、イオン性液体、及びこれらの混合溶媒を挙げることができる。
本実施の形態の銀塩乳剤層に用いられる溶媒の含有量は、銀塩乳剤層に含まれる銀塩、バインダー等の合計の質量に対して３０〜９０質量％の範囲であり、５０〜８０質量％の範囲であることが好ましい。
【０１１７】
＜その他の添加剤＞
本実施の形態に用いられる各種添加剤に関しては、特に制限は無く、公知のものを好ましく用いることができる。
【０１１８】
［その他の層構成］
銀塩乳剤層の上に図示しない保護層を設けてもよい。本実施の形態において「保護層」とは、ゼラチンや高分子ポリマーといったバインダーからなる層を意味し、擦り傷防止や力学特性を改良する効果を発現するために感光性を有する銀塩乳剤層上に形成される。その厚みは０．５μｍ以下が好ましい。保護層の塗布方法及び形成方法は特に限定されず、公知の塗布方法及び形成方法を適宜選択することができる。また、銀塩乳剤層よりも下に、例えば下塗り層を設けることもできる。
【０１１９】
次に、第１導電シート１２Ａ及び第２導電シート１２Ｂの作製方法の各工程について説明する。
［露光］
本実施の形態では、第１導電部１６Ａ及び第２導電部１６Ｂを印刷方式によって施す場合を含むが、印刷方式以外は、第１導電部１６Ａ及び第２導電部１６Ｂを露光と現像等によって形成する。すなわち、第１透明基体１４Ａ及び第２透明基体１４Ｂ上に設けられた銀塩含有層を有する感光材料又はフォトリソグラフィ用フォトポリマーを塗工した感光材料への露光を行う。露光は、電磁波を用いて行うことができる。電磁波としては、例えば、可視光線、紫外線等の光、Ｘ線等の放射線等が挙げられる。さらに露光には波長分布を有する光源を利用してもよく、特定の波長の光源を用いてもよい。
露光方法に関しては、ガラスマスクを介した方法やレーザー描画によるパターン露光方式が好ましい。
【０１２０】
［現像処理］
本実施の形態では、乳剤層を露光した後、さらに現像処理が行われる。現像処理は、銀塩写真フイルムや印画紙、印刷製版用フイルム、フォトマスク用エマルジョンマスク等に用いられる通常の現像処理の技術を用いることができる。現像液については特に限定はしないが、ＰＱ現像液、ＭＱ現像液、ＭＡＡ現像液等を用いることもでき、市販品では、例えば、富士フイルム社処方のＣＮ−１６、ＣＲ−５６、ＣＰ４５Ｘ、ＦＤ−３、パピトール、ＫＯＤＡＫ社処方のＣ−４１、Ｅ−６、ＲＡ−４、Ｄ−１９、Ｄ−７２等の現像液、又はそのキットに含まれる現像液を用いることができる。また、リス現像液を用いることもできる。
本発明における現像処理は、未露光部分の銀塩を除去して安定化させる目的で行われる定着処理を含むことができる。本発明における定着処理は、銀塩写真フイルムや印画紙、印刷製版用フイルム、フォトマスク用エマルジョンマスク等に用いられる定着処理の技術を用いることができる。
上記定着工程における定着温度は、約２０℃〜約５０℃が好ましく、さらに好ましくは２５〜４５℃である。また、定着時間は５秒〜１分が好ましく、さらに好ましくは７秒〜５０秒である。定着液の補充量は、感光材料の処理量に対して６００ｍｌ／ｍ2以下が好ましく、５００ｍｌ／ｍ2以下がさらに好ましく、３００ｍｌ／ｍ2以下が特に好ましい。
現像、定着処理を施した感光材料は、水洗処理や安定化処理を施されるのが好ましい。上記水洗処理又は安定化処理においては、水洗水量は通常感光材料１ｍ2当り、２０リットル以下で行われ、３リットル以下の補充量（０も含む、すなわちため水水洗）で行うこともできる。
現像処理後の露光部に含まれる金属銀の質量は、露光前の露光部に含まれていた銀の質量に対して５０質量％以上の含有率であることが好ましく、８０質量％以上であることがさらに好ましい。露光部に含まれる銀の質量が露光前の露光部に含まれていた銀の質量に対して５０質量％以上であれば、高い導電性を得ることができるため好ましい。
本実施の形態における現像処理後の階調は、特に限定されるものではないが、４．０を超えることが好ましい。現像処理後の階調が４．０を超えると、光透過性部の透光性を高く保ったまま、導電性金属部の導電性を高めることができる。階調を４．０以上にする手段としては、例えば、前述のロジウムイオン、イリジウムイオンのドープが挙げられる。
以上の工程を経て導電シートは得られるが、得られた導電シートの表面抵抗は０．１〜１００オーム／ｓｑ．の範囲にあることが好ましい。前記下限値は、１オーム／ｓｑ．以上、３オーム／ｓｑ．以上、５オーム／ｓｑ．以上、１０オーム／ｓｑ．であることが好ましい。前記上限値は、７０オーム／ｓｑ．以下、５０オーム／ｓｑ．以下であることが好ましい。このような範囲に表面抵抗を調整することで、面積が１０ｃｍ×１０ｃｍ以上の大型のタッチパネルでも位置検出を行うことができる。また、現像処理後の導電シートに対しては、さらにカレンダー処理を行ってもよく、カレンダー処理により所望の表面抵抗に調整することができる。
【０１２１】
［物理現像及びめっき処理］
本実施の形態では、前記露光及び現像処理により形成された金属銀部の導電性を向上させる目的で、前記金属銀部に導電性金属粒子を担持させるための物理現像及び／又はめっき処理を行ってもよい。本発明では物理現像又はめっき処理のいずれか一方のみで導電性金属粒子を金属性銀部に担持させてもよく、物理現像とめっき処理とを組み合わせて導電性金属粒子を金属銀部に担持させてもよい。なお、金属銀部に物理現像及び／又はめっき処理を施したものを含めて「導電性金属部」と称する。
本実施の形態における「物理現像」とは、金属や金属化合物の核上に、銀イオン等の金属イオンを還元剤で還元して金属粒子を析出させることをいう。この物理現象は、インスタントＢ＆Ｗフイルム、インスタントスライドフイルムや、印刷版製造等に利用されており、本発明ではその技術を用いることができる。
また、物理現像は、露光後の現像処理と同時に行っても、現像処理後に別途行ってもよい。
本実施の形態において、めっき処理は、無電解めっき（化学還元めっきや置換めっき）を用いることができる。本実施の形態における無電解めっきは、公知の無電解めっき技術を用いることができ、例えば、プリント配線板等で用いられている無電解めっき技術を用いることができ、無電解めっきは無電解銅めっきであることが好ましい。
【０１２２】
［酸化処理］
本実施の形態では、現像処理後の金属銀部、並びに、物理現像及び／又はめっき処理によって形成された導電性金属部には、酸化処理を施すことが好ましい。酸化処理を行うことにより、例えば、光透過性部に金属が僅かに沈着していた場合に、該金属を除去し、光透過性部の透過性をほぼ１００％にすることができる。
【０１２３】
［導電性金属部］
本実施の形態の導電性金属部の線幅（金属細線の線幅）は、下限は１μｍ以上、３μｍ以上、４μｍ以上、もしくは５μｍ以上が好ましく、上限は１５μｍ以下、１０μｍ以下、９μｍ以下、８μｍ以下が好ましい。線幅が上記下限値未満の場合には、導電性が不十分となるためタッチパネルに使用した場合に、検出感度が不十分となる。他方、上記上限値を越えると導電性金属部に起因するモアレが顕著になったり、タッチパネルに使用した際に視認性が悪くなったりする。なお、上記範囲にあることで、導電性金属部のモアレが改善され、視認性が特によくなる。線間隔（ここでは小格子２６の互いに対向する辺の間隔）は３０μｍ以上５００μｍ以下であることが好ましく、さらに好ましくは５０μｍ以上４００μｍ以下、最も好ましくは１００μｍ以上３５０μｍ以下である。また、導電性金属部は、アース接続等の目的においては、線幅は２００μｍより広い部分を有していてもよい。
本実施の形態における導電性金属部は、可視光透過率の点から開口率は８５％以上であることが好ましく、９０％以上であることがさらに好ましく、９５％以上であることが最も好ましい。開口率とは、第１導電部１６Ａ及び第２導電部１６Ｂの導電部分を除いた透光性部分が全体に占める割合であり、例えば、線幅１５μｍ、ピッチ３００μｍの正方形の格子状の開口率は、９０％である。
【０１２４】
［光透過性部］
本実施の形態における「光透過性部」とは、第１導電シート１２Ａ及び第２導電シート１２Ｂのうち導電性金属部以外の透光性を有する部分を意味する。光透過性部における透過率は、前述のとおり、第１透明基体１４Ａ及び第２透明基体１４Ｂの光吸収及び反射の寄与を除いた３８０〜７８０ｎｍの波長領域における透過率の最小値で示される透過率が９０％以上、好ましくは９５％以上、さらに好ましくは９７％以上であり、さらにより好ましくは９８％以上であり、最も好ましくは９９％以上である。
【０１２５】
［第１導電シート１２Ａ及び第２導電シート１２Ｂ］
本実施の形態に係る第１導電シート１２Ａ及び第２導電シート１２Ｂにおける第１透明基体１４Ａ及び第２透明基体１４Ｂの厚さは、５〜３５０μｍであることが好ましく、３０〜１５０μｍであることがさらに好ましい。５〜３５０μｍの範囲であれば所望の可視光の透過率が得られ、且つ、取り扱いも容易である。
第１透明基体１４Ａ及び第２透明基体１４Ｂ上に設けられる金属銀部の厚さは、第１透明基体１４Ａ及び第２透明基体１４Ｂ上に塗布される銀塩含有層用塗料の塗布厚みに応じて適宜決定することができる。金属銀部の厚さは、０．００１ｍｍ〜０．２ｍｍから選択可能であるが、３０μｍ以下であることが好ましく、２０μｍ以下であることがより好ましく、０．０１〜９μｍであることがさらに好ましく、０．０５〜５μｍであることが最も好ましい。また、金属銀部はパターン状であることが好ましい。金属銀部は１層でもよく、２層以上の重層構成であってもよい。金属銀部がパターン状であり、且つ、２層以上の重層構成である場合、異なる波長に感光できるように、異なる感色性を付与することができる。これにより、露光波長を変えて露光すると、各層において異なるパターンを形成することができる。
導電性金属部の厚さは、タッチパネルの用途としては、薄いほど表示パネルの視野角が広がるため好ましく、視認性の向上の点でも薄膜化が要求される。このような観点から、導電性金属部に担持された導電性金属からなる層の厚さは、９μｍ未満であることが好ましく、０．１μｍ以上５μｍ未満であることがより好ましく、０．１μｍ以上３μｍ未満であることがさらに好ましい。
本実施の形態では、上述した銀塩含有層の塗布厚みをコントロールすることにより所望の厚さの金属銀部を形成し、さらに物理現像及び／又はめっき処理により導電性金属粒子からなる層の厚みを自在にコントロールできるため、５μｍ未満、好ましくは３μｍ未満の厚みを有する第１導電シート１２Ａ及び第２導電シート１２Ｂであっても容易に形成することができる。
なお、本実施の形態に係る第１導電シート１２Ａや第２導電シート１２Ｂの製造方法では、めっき等の工程は必ずしも行う必要はない。本実施の形態に係る第１導電シート１２Ａや第２導電シート１２Ｂの製造方法では銀塩乳剤層の塗布銀量、銀／バインダー体積比を調整することで所望の表面抵抗を得ることができるからである。なお、必要に応じてカレンダー処理等を行ってもよい。
【０１２６】
（現像処理後の硬膜処理）
銀塩乳剤層に対して現像処理を行った後に、硬膜剤に浸漬して硬膜処理を行うことが好ましい。硬膜剤としては、例えば、グルタルアルデヒド、アジポアルデヒド、２，３−ジヒドロキシ−１，４−ジオキサン等のジアルデヒド類及びほう酸等の特開平２−１４１２７９号公報に記載のものを挙げることができる。
【０１２７】
上述の例では、第１導電パターン１８Ａを、２以上の第１大格子２４Ａを第１方向に直列に接続して構成し、第２導電パターン１８Ｂを、２以上の第２大格子２４Ｂを第２方向に直列に接続して構成した例を示したが、その他、第１導電パターン１８Ａを、ＩＴＯ（酸化インジウムスズ）膜による例えばひし形状の２以上の透明電極を第１方向に直列に接続して構成し、第２導電パターン１８Ｂを、ＩＴＯ膜による例えばひし形状の２以上の透明電極を第２方向に直列に接続して構成してもよい。
また、導電シートには、反射防止層やハードコート層などの機能層を付与してもよい。
【０１２８】
なお、本発明は、下記表１及び表２に記載の公開公報及び国際公開パンフレットの技術と適宜組合わせて使用することができる。「特開」、「号公報」、「号パンフレット」等の表記は省略する。
【０１２９】
【表１】
0005248653.tif 000002
【０１３０】
【表２】
0005248653.tif 000003
【実施例】
【０１３１】
以下に、本発明の実施例を挙げて本発明をさらに具体的に説明する。なお、以下の実施例に示される材料、使用量、割合、処理内容、処理手順等は、本発明の趣旨を逸脱しない限り適宜変更することができる。従って、本発明の範囲は以下に示す具体例により限定的に解釈されるべきものではない。
［第１実施例］
第１実施例では、後述する処理に基づいて第１導電シート１２Ａ及び第２導電シート１２Ｂをそれぞれ１００シート作製した。金属細線の線幅を１μｍとし、小格子２６の一辺の長さを１００μｍとした。
【０１３２】
（ハロゲン化銀感光材料）
水媒体中のＡｇ１５０ｇに対してゼラチン１０．０ｇを含む、球相当径平均０．１μｍの沃臭塩化銀粒子（Ｉ＝０．２モル％、Ｂｒ＝４０モル％）を含有する乳剤を調製した。
また、この乳剤中にはＫ3Ｒｈ2Ｂｒ9及びＫ2ＩｒＣｌ6を濃度が１０-7（モル／モル銀）になるように添加し、臭化銀粒子にＲｈイオンとＩｒイオンをドープした。この乳剤にＮａ2ＰｄＣｌ4を添加し、さらに塩化金酸とチオ硫酸ナトリウムを用いて金硫黄増感を行った後、ゼラチン硬膜剤と共に、銀の塗布量が１０ｇ／ｍ2となるように第１透明基体１４Ａ及び第２透明基体１４Ｂ（ここでは、共にポリエチレンテレフタレート（ＰＥＴ））上に塗布した。この際、Ａｇ／ゼラチン体積比は２／１とした。
幅３０ｃｍのＰＥＴ支持体に２５ｃｍの幅で２０ｍ分塗布を行ない、塗布の中央部２４ｃｍを残すように両端を３ｃｍずつ切り落としてロール状のハロゲン化銀感光材料を得た。
【０１３３】
（露光）
露光のパターンは、積層導電シート１０の第１導電シート１２Ａについては図１及び図３に示すパターンで、第２導電シート１２Ｂについては図１及び図４に示すパターンで、Ａ４サイズ（２１０ｍｍ×２９７ｍｍ）の第１透明基体１４Ａ及び第２透明基体１４Ｂに行った。露光は上記パターンのフォトマスクを介して高圧水銀ランプを光源とした平行光を用いて露光した。
【０１３４】
（現像処理）
・現像液１Ｌ処方
ハイドロキノン                        ２０  ｇ
亜硫酸ナトリウム                      ５０  ｇ
炭酸カリウム                          ４０  ｇ
エチレンジアミン・四酢酸                ２  ｇ
臭化カリウム                            ３  ｇ
ポリエチレングリコール２０００          １  ｇ
水酸化カリウム                          ４  ｇ
ｐＨ                            １０．３に調整
・定着液１Ｌ処方
チオ硫酸アンモニウム液（７５％）    ３００  ｍｌ
亜硫酸アンモニウム・１水塩            ２５  ｇ
１，３−ジアミノプロパン・四酢酸        ８  ｇ
酢酸                                    ５  ｇ
アンモニア水（２７％）                  １  ｇ
ｐＨ                              ６．２に調整
上記処理剤を用いて露光済み感材を、富士フイルム社製自動現像機  ＦＧ−７１０ＰＴＳを用いて処理条件：現像３５℃  ３０秒、定着３４℃  ２３秒、水洗  流水（５Ｌ／分）の２０秒処理で行った。
【０１３５】
［比較例］
上述した特許文献９（国際公開第２０１０／０１３６７９号パンフレット）の図７（ａ）に準拠して上述した第１導電シート１２Ａに対応する比較用第１導電シートと、上述した第２導電シート１２Ｂに対応する比較用第２導電シートとをそれぞれ１００シート作製した。金属細線の線幅を１μｍとし、最も小さい格子の一辺の長さを１００μｍとした。
【０１３６】
（評価方法）
第２導電シート１２Ｂ（比較用第２導電シート）の上に第１導電シート１２Ａ（比較用第１導電シート）を積層して積層導電シートを作製する前段階において、各導電シートに形成されている導電パターンの両端間の抵抗値をテスターにて測定した。なお、各導電シートには、複数の導電パターンが形成されているが、その全ての導電パターンにおいて抵抗値の測定を行った。
テスターにて測定された抵抗値が１［ＭΩ］以上である場合、導電パターンに含まれている複数の接続部（大格子間を接続している部位）の少なくとも１つ以上が完全に断線していると判定した。一方、テスターにて測定された抵抗値が１［ＭΩ］未満である場合、導電パターンに含まれている接続部は断線していないと判断した。
【０１３７】
（評価結果）
実施例では、全ての第１導電シート１２Ａにおいて第１接続部２８Ａの断線は検出されなかった。また、全ての第２導電シート１２Ｂにおいて第２接続部２８Ｂの断線は検出されなかった。一方、比較例では、１２シートの比較用第１導電シートにおいて第１接続部の断線があった。また、１３シートの比較用第２導電シートにおいて第２接続部の断線があった。
このように、導電シートの作製過程において、比較例では、導電パターンの接続部が完全に断線することがあったが、本実施例では、第１接続部２８Ａ及び第２接続部２８Ｂが完全に断線することを抑えることができた。
【０１３８】
［第２実施例］
実施例１〜９に係る積層導電シートについて、表面抵抗及び透過率を測定し、モアレ及び視認性を評価した。実施例１〜９の内訳並びに測定結果及び評価結果を表３に示す。
上述した第１実施例と同様にして、実施例１〜９に係る第１導電シート１２Ａ及び第２導電シート１２Ｂを作製した。
（実施例１）
作製した第１導電シート１２Ａ及び第２導電シート１２Ｂの導電部（第１導電パターン１８Ａ、第２導電パターン１８Ｂ）の線幅は１μｍ、小格子２６の一辺の長さは５０μｍ、大格子（第１大格子２４Ａ及び第２大格子２４Ｂ）の一辺の長さは３ｍｍである。
（実施例２）
小格子２６の一辺の長さを１００μｍとした点以外は、実施例１と同様にして、実施例２に係る第１導電シート１２Ａ及び第２導電シート１２Ｂを作製した。
（実施例３）
導電部の線幅を３μｍとし、小格子２６の一辺の長さを１５０μｍとし、大格子の一辺の長さを４ｍｍとした点以外は、実施例１と同様にして、実施例３に係る第１導電シート１２Ａ及び第２導電シート１２Ｂを作製した。
（実施例４）
導電部の線幅を４μｍとし、小格子２６の一辺の長さを２１０μｍとし、大格子の一辺の長さを５ｍｍとした点以外は、実施例１と同様にして、実施例４に係る第１導電シート１２Ａ及び第２導電シート１２Ｂを作製した。
（実施例５）
導電部の線幅を５μｍとし、小格子２６の一辺の長さを２５０μｍとし、大格子の一辺の長さを５ｍｍとした点以外は、実施例１と同様にして、実施例５に係る第１導電シート１２Ａ及び第２導電シート１２Ｂを作製した。
（実施例６）
導電部の線幅を８μｍとし、小格子２６の一辺の長さを３００μｍとし、大格子の一辺の長さを６ｍｍとした点以外は、実施例１と同様にして、実施例６に係る第１導電シート１２Ａ及び第２導電シート１２Ｂを作製した。
（実施例７）
導電部の線幅を９μｍとし、小格子２６の一辺の長さを３００μｍとし、大格子の一辺の長さを１０ｍｍとした点以外は、実施例１と同様にして、実施例７に係る第１導電シート１２Ａ及び第２導電シート１２Ｂを作製した。
（実施例８）
導電部の線幅を１０μｍとし、小格子２６の一辺の長さを４００μｍとし、大格子の一辺の長さを１０ｍｍとした点以外は、実施例１と同様にして、実施例８に係る第１導電シート１２Ａ及び第２導電シート１２Ｂを作製した。
（実施例９）
導電部の線幅を１５μｍとし、小格子２６の一辺の長さを５００μｍとし、大格子の一辺の長さを１０ｍｍとした点以外は、実施例１と同様にして、実施例９に係る第１導電シート１２Ａ及び第２導電シート１２Ｂを作製した。
【０１３９】
（表面抵抗測定）
検出精度の良否を確認するために、第１導電シート１２Ａ及び第２導電シート１２Ｂの表面抵抗率をダイアインスツルメンツ社製ロレスターＧＰ（型番ＭＣＰ−Ｔ６１０）直列４探針プローブ（ＡＳＰ）にて任意の１０箇所測定した値の平均値である。
（透過率の測定）
透明性の良否を確認するために、第１導電シート１２Ａ及び第２導電シート１２Ｂを分光光度計を用いて透過率を測定した。
（モアレの評価）
実施例１〜９について、第２導電シート１２Ｂ上に第１導電シート１２Ａを積層して第１積層導電シート１０Ａを作製し、その後、液晶表示装置の表示画面に第１積層導電シート１０Ａを貼り付けてタッチパネル１００を構成した。その後、タッチパネル１００を回転盤に設置し、液晶表示装置を駆動して白色を表示させる。その状態で、回転盤をバイアス角−４５°〜＋４５°の間で回転し、モアレの目視観察・評価を行った。
モアレの評価は、液晶表示装置の表示画面から観察距離１．５ｍで行い、モアレが顕在化しなかった場合を○、モアレが問題のないレベルでほんの少し見られた場合を△、モアレが顕在化した場合を×とした。
（視認性の評価）
上述のモアレの評価に先立って、タッチパネル１００を回転盤に設置し、液晶表示装置を駆動して白色を表示させた際に、線太りや黒い斑点がないかどうか、また、タッチパネル１００の第１大格子２４Ａ及び第２大格子２４Ｂの境界が目立つかどうかを肉眼で確認した。
【０１４０】
【表３】
0005248653.tif 000004
【０１４１】
表３から、実施例１〜９のうち、実施例１〜８は、導電性、透過率、モアレ、視認性共に良好であった。実施例９はモアレの評価及び視認性の評価が実施例１〜８よりも劣っているが、モアレが問題のないレベルでほんの少し見られる程度であり、表示装置の表示画像が見え難くなるということはなかった。
【０１４２】
［第３実施例］
上述した第２実施例の実施例１〜９に係る第１導電シート１２Ａ及び第２導電シート１２Ｂを用いてそれぞれ投影型静電容量方式のタッチパネルを作製した。いずれもモアレは顕在化しなかった。また、指で触れて操作したところ、応答速度が速く、検出感度に優れることがわかった。また、２点以上をタッチして操作したところ、同様に良好な結果が得られ、マルチタッチにも対応できることが確認できた。
本発明に係る導電シート及び静電容量方式タッチパネルは、上述の実施の形態に限らず、本発明の要旨を逸脱することなく、種々の構成を採り得ることはもちろんである。
【符号の説明】
【０１４３】
１０Ａ〜１０Ｆ…第１積層導電シート〜第６積層導電シート
１２Ａ…第１導電シート                    １２Ｂ…第２導電シート
１４Ａ…第１透明基体                      １４Ｂ…第２透明基体
１６Ａ…第１導電部                        １６Ｂ…第２導電部
１８Ａ…第１導電パターン                  １８Ｂ…第２導電パターン
２０Ａ、２１２Ａ、２５８Ａ…第１補助パターン
２０Ｂ、２１２Ｂ、２５８Ｂ…第２補助パターン
２４Ａ…第１大格子（第１感知部）
２４Ｂ…第２大格子（第２感知部）
２６…小格子
２８Ａ、２００Ａ、２５０Ａ…第１接続部
２８Ｂ、２００Ｂ、２５０Ｂ…第２接続部    ３４、２２２…第１接点
３６、２２４、３００…第２接点            ３８、２２６…第３接点
４０ａ〜４０ｈ…第１導線部〜第８導線部
４２、２０４、２５４、３０２…長方形部（四角形部）
４２ａ、２０４ａ、２５４ａ…第１長方形部（第１四角形部）
４２ｂ、２０４ｂ、２５４ｂ…第２長方形部（第２四角形部）
４４ａ〜４４ｐ…第１導線〜第１６導線      ５２Ａ…第１突出線
５２Ｂ…第２突出線                        ５４Ａ…第１絶縁部
５４Ｂ…第２絶縁部                        ５６Ａ…第１補助線
５６Ｂ…第２補助線                        ５８Ａ…第１Ｌ字状パターン
５８Ｂ…第２Ｌ字状パターン                ６０Ａ…第１結線部
６０Ｂ…第２結線部                        ６２Ａ…第１端子配線パターン
６２Ｂ…第２端子配線パターン              １００…タッチパネル
１０２…センサ本体                        １０８…表示装置
１１０…表示パネル                        １１２…センサ部
１１４…端子配線部                        １１６ａ…第１端子
１１６ｂ…第２端子
２０２ａ〜２０２ｊ…第１導線部〜第１０導線部
２５２ａ〜２５２ｌ…第１導線部〜第１２導線部
２２８…第４接点
３０２ａ…長方形部（第１四角形部）
３０２ｂ…正方形部（第２四角形部）
【図１】
0005248653.tif 000005
【図２】
0005248653.tif 000006
【図３】
0005248653.tif 000007
【図４】
0005248653.tif 000008
【図５】
0005248653.tif 000009
【図６】
0005248653.tif 000010
【図７】
0005248653.tif 000011
【図８】
0005248653.tif 000012
【図９】
0005248653.tif 000013
【図１０】
0005248653.tif 000014
【図１１】
0005248653.tif 000015
【図１２】
0005248653.tif 000016
【図１３】
0005248653.tif 000017
【図１４】
0005248653.tif 000018
【図１５】
0005248653.tif 000019
【図１６】
0005248653.tif 000020
【図１７】
0005248653.tif 000021
【図１８】
0005248653.tif 000022
【図１９】
0005248653.tif 000023
【図２０】
0005248653.tif 000024
【図２１】
0005248653.tif 000025
【図２２】
0005248653.tif 000026
【図２３】
0005248653.tif 000027
【図２４】
0005248653.tif 000028
【図２５】
0005248653.tif 000029
【図２６】
0005248653.tif 000030
【図２７】
0005248653.tif 000031